(57)【要約】  第１空間（Ｒ１）と第２空間（Ｒ２）とを隔てる仕切部（ＷＡ）には、第１空間（Ｒ１）および第２空間（Ｒ２）を連通する連通孔（５４）が形成されている。空気調和システム（１００）は、空調装置（１）と、送風機（５０）とを備える。空調装置（１）は、第１空気流（Ｂ１）および第２空気流（Ｂ２）を送風するとともに、少なくとも第２空気流（Ｂ２）を連通孔（５４）に導入するように構成される。送風機（５０）は、連通孔（５４）を通過した少なくとも第２空気流（Ｂ２）を第２空間（Ｒ２）内に導入するように構成される。
2018047343.tif 000002
【特許請求の範囲】
【請求項１】
複数の空間を空調する空気調和システムであって、前記複数の空間は、第１空間と、前記第１空間に第１仕切部により隔てられた第２空間とを含み、前記第１仕切部には、前記第１空間および前記第２空間を連通する第１連通孔が形成されており、
第１空気流および第２空気流を送風するとともに、少なくとも前記第２空気流を前記第１連通孔に導入するように構成された空調装置と、
前記第１連通孔を通過した少なくとも前記第２空気流を前記第２空間内に導入するように構成された第１送風機とを備える、空気調和システム。
【請求項２】
前記空調装置は、前記第１空間に設置され、前記第１空気流および前記第２空気流を並行して送風するように構成され、
前記第１送風機は、前記第２空間に設置され、
前記空気調和システムが前記第１空間および前記第２空間を空調する場合において、
前記空調装置は、前記第１空気流を前記第１空間に向けて送風するとともに、前記第２空気流を前記第１連通孔に向けて送風するように構成され、
前記第１送風機は、前記第１連通孔を通過した前記第２空気流を前記第２空間内に導入するように構成される、請求項１に記載の空気調和システム。
【請求項３】
前記空調装置は、前記第１空間に設置され、前記第１空気流および前記第２空気流を並行して送風するように構成され、
前記第１送風機は、前記第２空間に設置され、
前記空気調和システムが前記第２空間のみを空調する場合において、
前記空調装置は、前記第１空気流および前記第２空気流を前記第１連通孔に向けて送風するように構成され、
前記第１送風機は、前記第１連通孔を通過した前記第１空気流および前記第２空気流を前記第２空間内に導入するように構成される、請求項１に記載の空気調和システム。
【請求項４】
前記第１空間の第１温度を検出する第１温度センサと、
前記第２空間の第２温度を検出する第２温度センサとをさらに備え、
前記空気調和システムが前記第１空間および前記第２空間を空調する場合において、
前記空調装置は、前記第１温度と予め設定された第１設定温度との第１温度差が、前記第２温度と予め設定された第２設定温度との第２温度差よりも大きいときには、前記第１空気流の風量を前記第２空気流の風量よりも大きくし、かつ、
前記第２温度差が前記第１温度差よりも大きいときには、前記第２空気流の風量を前記第１空気流の風量よりも大きくするように構成される、請求項２に記載の空気調和システム。
【請求項５】
前記空調装置は、
前記第１空気流を発生させるように構成された第１ファンと、
吹出口に対して前記第１ファンと並列に配置され、前記第２空気流を発生させるように構成された第２ファンと、
前記第１空気流の向きを調整するように構成された第１風向調整部材と、
前記第２空気流の向きを調整するように構成された第２風向調整部材とを含み、
前記空気調和システムは、前記空調装置および前記第１送風機の動作を制御する制御装置をさらに備え、
前記制御装置は、
前記第１ファンおよび前記第２ファンの回転速度を制御し、
前記第１風向調整部材および前記第２風向調整部材の傾き角度を制御し、かつ、
前記空気調和システムが前記第２空間を空調する場合において、前記第１送風機を駆動するように構成される、請求項１〜４のいずれか１項に記載の空気調和システム。
【請求項６】
前記制御装置は、前記第１空気流および前記第２空気流を前記第１連通孔に向けて送風するための風向を学習するように構成され、
前記空気調和システムが前記第２空間を空調する場合において、前記制御装置は、前記学習の結果に基づいて、前記第１風向調整部材および前記第２風向調整部材の傾き角度を制御する、請求項５に記載の空気調和システム。
【請求項７】
前記第１空気流および前記第２空気流を前記第１連通孔に向けて送風するための送風方向に関する入力を受け付けるように構成された風向入力部をさらに備え、
前記空気調和システムが前記第２空間を空調する場合において、前記制御装置は、前記風向入力部が受け付けた前記入力に従って、前記第１風向調整部材および前記第２風向調整部材の傾き角度を制御する、請求項５に記載の空気調和システム。
【請求項８】
前記第１仕切部を撮像するように構成された撮像部をさらに備え、
前記制御装置は、前記撮像部による撮像画像に基づいて前記第１仕切部における前記第１連通孔の位置を検出し、検出された前記第１連通孔の位置に基づいて、前記第１空気流および前記第２空気流を前記第１連通孔に向けて送風するための方向を演算するように構成され、
前記空気調和システムが前記第２空間を空調する場合において、前記制御装置は、前記演算の結果に基づいて、前記第１風向調整部材および前記第２風向調整部材の傾き角度を制御する、請求項５に記載の空気調和システム。
【請求項９】
前記第１連通孔は、前記第１空間の高所部と前記第２空間の高所部とを連通する位置に配置され、
前記空気調和システムが前記第２空間を冷房する場合において、前記空調装置は、前記第１連通孔に向けて送風される空気流の風量を予め設定された風量よりも増加させる、請求項１〜５のいずれか１項に記載の空気調和システム。
【請求項１０】
前記第１連通孔は、前記第１空間の高所部と前記第２空間の高所部とを連通する位置に配置され、
前記空気調和システムが前記第２空間を暖房する場合において、前記空調装置は、前記第１連通孔に向けて送風される空気流の風量を予め設定された風量よりも減少させる、請求項１〜５のいずれかに記載の空気調和システム。
【請求項１１】
前記第２空間に設置され、前記第２空間内における在室者の有無を検出するように構成された在室検出部をさらに備え、
前記空気調和システムが前記第２空間を空調する場合において、前記在室検出部により前記第２空間内に在室者がいないと検出されたときには、前記空調装置は前記第１連通孔に向けた空気流の送風を停止するように構成され、前記第１送風機は運転を停止するように構成される、請求項１〜５のいずれか１項に記載の空気調和システム。
【請求項１２】
前記第２空間への人の入退室予定時刻に関する入力を受け付けるように構成された在室予定入力部をさらに備え、
前記空気調和システムが前記第２空間のみを空調する場合において、前記空調装置は、入室予定時刻よりも早い時刻に起動するとともに、退室予定時刻よりも遅い時刻に運転を停止するように構成される、請求項１〜５のいずれか１項に記載の空気調和システム。
【請求項１３】
前記空気調和システムが前記第１空間および前記第２空間を空調する場合において、前記空調装置は、前記入室予定時刻よりも早い時刻において、前記第１連通孔への前記第２空気流の送風を開始するとともに、前記退室予定時刻よりも遅い時刻において、前記第１連通孔への前記第２空気流の送風を停止するように構成される、請求項１２に記載の空気調和システム。
【請求項１４】
前記第１連通孔に流入した前記第２空気流を前記第１送風機に導入するように構成された第１導入部材をさらに備える、請求項１〜１３のいずれか１項に記載の空気調和システム。
【請求項１５】
前記複数の空間は、前記第１空間に第２仕切部により隔てられた第３空間をさらに含み、前記第２仕切部には、前記第１空間および前記第３空間を連通する第２連通孔が形成され、
前記空気調和システムは、前記第３空間に設置された第２送風機をさらに備え、
前記空気調和システムが前記第２空間および前記第３空間を空調する場合において、
前記空調装置は、前記第１空気流を前記第１連通孔に向けて送風するとともに、前記第２空気流を前記第２連通孔に向けて送風するように構成され、
前記第１送風機は、前記第１連通孔を通過した前記第１空気流を前記第２空間内に導入するように構成され、
前記第２送風機は、前記第２連通孔を通過した前記第２空気流を前記第３空間内に導入するように構成される、請求項１〜３のいずれか１項に記載の空気調和システム。
【請求項１６】
前記第２空間の第２温度を検出する第２温度センサと、
前記第３空間の第３温度を検出する第３温度センサとをさらに備え、
前記空気調和システムが前記第２空間および前記第３空間を空調する場合において、
前記空調装置は、前記第２温度と予め設定された第２設定温度との第２温度差が、前記第３温度と予め設定された第３設定温度との第３温度差よりも大きいときには、前記第１空気流の風量を前記第２空気流の風量よりも大きくし、かつ、
前記第３温度差が前記第２温度差よりも大きいときには、前記第２空気流の風量を前記第１空気流の風量よりも大きくするように構成される、請求項１５に記載の空気調和システム。
【請求項１７】
前記第２連通孔に流入した前記第２空気流を前記第２送風機に導入するように構成された第２導入部材をさらに備える、請求項１５または１６に記載の空気調和システム。
【請求項１８】
前記空気調和システムが前記第１空間、前記第２空間および前記第３空間を空調する場合において、
前記空調装置は、前記第１空間および前記第２空間を空調する運転モード、前記第２空間および前記第３空間を空調する運転モード、および前記第１空間および前記第３空間を空調する運転モードを、時間の経過に従い切り替えて実行するように構成される、請求項１５〜１７のいずれか１項に記載の空気調和システム。
【発明の詳細な説明】
【技術分野】
【０００１】
本発明は、複数の空間を空調するための空気調和システムに関する。
【背景技術】
【０００２】
従来、複数の部屋を空調する空気調和システムが知られている。このような空気調和システムとしては、複数の部屋を区画する壁に、複数の部屋を互いに連通させる連通部を設ける構成が提案されている。上記構成においては、複数の部屋のうちの１つの部屋に空調装置が設置される。そして、当該部屋からこれに隣接する他の部屋に向けて、連通部を通じて空気が送風される（たとえば、特許文献１〜３参照）。【０００３】
たとえば、特開２００５−９０８２４号公報（特許文献１）には、空調装置が設置された第１部屋とこれに隣接する第２部屋との側壁に、室内空気を送風する室間ファンを設置する構成が開示されている。特許文献１では、所定の条件を満たした場合に室間ファンを運転することにより、空調装置によって直接に空調される第１部屋の空気を第２部屋へ送風する。すなわち、第１部屋の空調に使われた空気を用いて第２部屋を空調する。なお、上記所定の条件は、たとえば夏季においては、第１部屋の室温が所定の温度よりも低く、かつ、第１部屋と第２部屋と室温差が所定の温度差以上であることとされている。
【先行技術文献】
【特許文献】
【０００４】
【特許文献１】特開２００５−９０８２４号公報
【特許文献２】特許第３１１１０８４号公報
【特許文献３】特開２０００−１４６２５２号公報
【発明の概要】
【発明が解決しようとする課題】
【０００５】
上記特許文献１に記載される空気調和システムでは、第１部屋の空調に使われた空気が第２部屋の空調に使われる。そのため、たとえば第２部屋を冷房するときには、第１部屋の室温が第２部屋の設定温度以下にならないと、第２部屋の冷房効果を得ることができない。その結果、第１部屋では、第２部屋の設定温度に基づいて空調が実行されることになり、第１部屋の室温が本来の設定温度から乖離する可能性がある。これにより、第１部屋の在室者の快適性が損なわれてしまう可能性がある。【０００６】
また、第２部屋を空調するためには、第１部屋を空調することが必須となるため、空気調和システムの空調効率を低下させてしまう可能性がある。【０００７】
本発明は、上記のような課題を解決するためになされたものであり、その目的は、複数の空間を空調する空気調和システムにおいて、高い運転効率および在室者の快適性を両立させることである。
【課題を解決するための手段】
【０００８】
本発明に係る空気調和システムは、複数の空間を空調する。複数の空間は、第１空間と、第１空間に第１仕切部により隔てられた第２空間とを含む。第１仕切部には、第１空間および第２空間を連通する第１連通孔が形成されている。空気調和システムは、空調装置と、第１送風機とを備える。空調装置は、第１空気流および第２空気流を送風するとともに、少なくとも第２空気流を第１連通孔に導入するように構成される。第１送風機は、第１連通孔を通過した少なくとも第２空気流を第２空間内に導入するように構成される。
【発明の効果】
【０００９】
本発明によれば、複数の空間を空調する空気調和システムにおいて、高い運転効率および在室者の快適性を両立させることができる。
【図面の簡単な説明】
【００１０】
【図１】実施の形態１に従う空気調和システムの構成図である。
【図２】空調装置の冷媒回路図である。
【図３】室内機の外観を概略的に示す図である。
【図４】室内機における空気流の方向および風量の制御を説明する図である。
【図５】送風機の外観を概略的に示す斜視図である。
【図６】空調装置の制御装置を説明する機能ブロック図である。
【図７】部屋Ｒ１のみを空調するモードを説明するための図である。
【図８】部屋Ｒ２のみを空調するモードを説明するための図である。
【図９】部屋Ｒ１および部屋Ｒ２を空調するモードを説明するための図である。
【図１０】空調装置から送出される空気流Ｂ１，Ｂ２の風量制御の一例を説明するフローチャートである。
【図１１】制御装置における風向制御の第１構成例を示す機能ブロック図である。
【図１２】風向学習部による送風方向の学習処理を説明するための図である。
【図１３】空気流の方向と設定温度到達時間との関係の一例を説明する図である。
【図１４】風向学習部による送風方向の学習処理の手順を説明するフローチャートである。
【図１５】制御装置における風向制御の第２構成例を示す機能ブロック図である。
【図１６】制御装置における風向制御の第３構成例を示す機能ブロック図である。
【図１７】制御装置における風量制御の他の構成例を説明する図である。
【図１８】制御装置における運転制御の第１構成例を示す機能ブロック図である。
【図１９】制御装置における運転制御の第１構成例を説明するフローチャートである。
【図２０】制御装置における運転制御の第２構成例を示す機能ブロック図である。
【図２１】部屋Ｒ２の入退室予定時刻に基づいた部屋Ｒ２の空調の一例を説明する図である。
【図２２】部屋Ｒ１および部屋Ｒ３を空調するモードを説明するための図である。
【図２３】部屋Ｒ２および部屋Ｒ３を空調するモードを説明するための図である。
【図２４】空調装置から送出される空気流Ｂ１，Ｂ２の風量制御の一例を説明するフローチャートである。
【図２５】部屋Ｒ１、部屋Ｒ２および部屋Ｒ３を空調するモードを説明するための図である。
【発明を実施するための形態】
【００１１】
以下、本発明の実施の形態について、図面を参照しながら詳細に説明する。なお、図中同一または相当部分には同一符号を付してその説明は繰り返さない。
【００１２】
［実施の形態１］
（空気調和システムの構成）
図１は、実施の形態１に従う空気調和システム１００の構成図である。実施の形態１に従う空気調和システム１００は、複数の部屋を空調するように構成される。図１の例では、空気調和システム１００は、部屋Ｒ１（第１空間）および部屋Ｒ２（第２空間）を空調するように構成されている。部屋Ｒ２は、壁部ＷＡ（第１仕切部）によって部屋Ｒ１と隔てられている。
【００１３】
部屋Ｒ１には、空調装置１が配置されている。空調装置１は、室内機１０および室外機２０を備える。室内機１０と室外機２０とは冷媒配管１６によって接続されている。
【００１４】
室内機１０は、たとえば壁掛け型の室内機であり、壁部ＷＡと異なる壁部に設置される。好ましくは、室内機１０は、部屋Ｒ１の天井部付近となる高所部に配置される。後述するように、室内機１０は、空調装置１の制御装置を含むように構成される。
【００１５】
部屋Ｒ１には、コントローラＣ１および室温センサＳ１がさらに配置されている。コントローラＣ１は、ユーザインターフェイスのためのリモートコントローラである。
【００１６】
コントローラＣ１は、ディスプレイ、操作スイッチ、および制御装置を含む。制御装置はマイクロコンピュータによって構成することができる。操作スイッチは、一般的に、ユーザ（たとえば、部屋Ｒ１の在室者Ｍ１）によって操作可能な押圧スイッチによって構成される。あるいは、ディスプレイをタッチパネルで構成した場合には、ディスプレイおよび操作スイッチを一体的に設けることも可能である。
【００１７】
室温センサＳ１は、部屋Ｒ１の室温Ｔ１を検出する。室温センサＳ１による検出値はコントローラＣ１へ入力される。室温センサＳ１は、部屋Ｒ１の室温を検出できれば、コントローラＣ１の内部または室内機１０の内部に配置されてもよい。
【００１８】
コントローラＣ１と室内機１０との間は、有線または無線により相互に通信可能に構成されている。したがって、空調装置１の動作は、コントローラＣ１へのユーザ指示入力に応じて制御される。具体的には、コントローラＣ１に入力されるユーザからの各種運転指示（冷房運転、暖房運転等）、設定温度（冷房温度、暖房温度）Ｔ１＊、室温センサＳ１による検出値Ｔ１は、室内機１０内の制御装置へ入力される。
【００１９】
壁部ＷＡには、部屋Ｒ１と部屋Ｒ２とを連通する連通孔５４（第１連通孔）が形成される。好ましくは、連通孔５４は、部屋Ｒ１の天井部付近となる高所部に配置される。
【００２０】
部屋Ｒ２には、送風機５０が配置されている。送風機５０は、たとえば壁掛け型の送風機であり、壁部ＷＡに設置される。好ましくは、送風機５０は、連通孔５４の下側に配置されている。
【００２１】
部屋Ｒ２には、コントローラＣ２および室温センサＳ２がさらに配置されている。コントローラＣ２は、ユーザインターフェイスのためのリモートコントローラである。
【００２２】
コントローラＣ２は、上述したコントローラＣ１と基本的構成が同様である。室温センサＳ２は、部屋Ｒ２の室温Ｔ２を検出する。室温センサＳ２による検出値はコントローラＣ２へ入力される。室温センサＳ２は、部屋Ｒ２の室温を検出できれば、コントローラＣ２の内部または送風機５０の内部に配置されてもよい。
【００２３】
コントローラＣ２と室内機１０との間は、有線または無線により相互に通信可能に構成されている。コントローラＣ２に入力されるユーザ（たとえば、部屋Ｒ２の在室者Ｍ２）からの各種運転指示、設定温度（冷房温度、暖房温度）Ｔ２＊、および室温センサＳ２による検出値Ｔ２は、室内機１０内の制御装置へ入力される。
【００２４】
なお、コントローラＣ１，Ｃ２はそれぞれ、部屋Ｒ１，Ｒ２の室内に配置されている必要はない。コントローラＣ１は、部屋Ｒ１の外に配置されて、たとえばＬＴＥ（Long  Term  Evolution）、ＣＤＭＡ（Code  Division  Multiple  Access）あるいはＢｌｕｅｔｏｏｔｈ（登録商標）のような無線通信方式を用いて、室温センサＳ１および空調装置１と通信してもよい。コントローラＣ２は、部屋Ｒ２の外に配置されて、無線通信方式を用いて室温センサＳ２および送風機５０と通信してもよい。
【００２５】
また、コントローラＣ１，Ｃ２の各々に入力される各種運転指示および設定温度は、空気調和システム１００を統括的に制御する上位コントローラにより発生することもできる。本願明細書において、コントローラとは、コントローラＣ１、コントローラＣ２および上位コントローラのいずれかを示すものとする。
【００２６】
図１を参照しながら、空気調和システム１００の動作について説明する。
１台の空調装置１によって部屋Ｒ１および部屋Ｒ２を空調する場合において、空調装置１の室内機１０は、空気の吹出口から第１空気流Ｂ１を部屋Ｒ１に向けて送風するとともに、第２空気流Ｂ２を連通孔５４に向けて送風するように構成される。言い換えれば、室内機１０は、第１空気流Ｂ１と第２空気流Ｂ２とを並行して送風する構成において、第１空気流Ｂ１の方向と第２空気流Ｂ２の方向とを互いに独立して調整することができる。
【００２７】
第２空気流Ｂ２は、連通孔５４を通過すると、送風機５０によって部屋Ｒ２内に導入される。すなわち、空調装置１の吹出口から吹出された第２空気流Ｂ２は部屋Ｒ２の空調に使われる。一方、空調装置１の吹出口から吹出された第１空気流Ｂ１は部屋Ｒ１の空調に使われる。
【００２８】
従来、空気調和システムにおいては、１台の空調装置によって部屋Ｒ１および部屋Ｒ２を空調する場合、空調装置によって直接に空調された部屋Ｒ１の空気を、送風機によって部屋Ｒ２内に導入することが行なわれてきた。すなわち、部屋Ｒ１の空調に使われた空気が部屋Ｒ２の空調に使われていた。
【００２９】
これによれば、部屋Ｒ２を冷房するときには、まず、空調装置は、部屋Ｒ１の室温Ｔ１が部屋Ｒ２の設定温度Ｔ２＊以下になるように部屋Ｒ１を空調する。次に、設定温度Ｔ２＊以下に空調された部屋Ｒ１の空気を、送風機によって部屋Ｒ２へ送風する。また、部屋Ｒ２を暖房するときには、空調装置は、部屋Ｒ１の室温Ｔ１が部屋Ｒ２の設定温度Ｔ２＊以上になるように部屋Ｒ１を空調する。次に、設定温度Ｔ２＊以上に空調された部屋Ｒ１の空気を送風機によって部屋Ｒ２の室内に導入する。
【００３０】
このように、部屋Ｒ１では、部屋Ｒ２の設定温度Ｔ２＊に基づいて室温Ｔ１が制御される。そのため、室温Ｔ１が本来の設定温度Ｔ１＊から乖離することで、部屋Ｒ１の在室者Ｍ１の快適性が損なわれてしまう可能性がある。また、部屋Ｒ２を空調するためには、部屋Ｒ１を空調することが必須となるため、空気調和システムの空調効率を低下させてしまう可能性がある。
【００３１】
本実施の形態１に従う空気調和システム１００では、部屋Ｒ２を空調する場合、空調装置１の室内機１０は、吹出口からの空気流を連通孔５４に向けて送風するように構成される。すなわち、室内機１０で発生した空気流が、連通孔５４を通過して部屋Ｒ２内に導入されて部屋Ｒ２の空調に使われる。
【００３２】
このようにすると、空調装置１が送出する空気流によって部屋Ｒ２を直接空調することができるため、部屋Ｒ２の空調のために部屋Ｒ１の空調された空気が不要となる。この結果、部屋Ｒ１の空調を、部屋Ｒ２の空調とは独立して実行することができる。
【００３３】
たとえば、図１のように、部屋Ｒ１および部屋Ｒ２を空調する構成においては、室内機１０からの第１空気流Ｂ１を部屋Ｒ１に向けて送風し、第２空気流Ｂ２を連通孔５４に向けて送風する。この構成において、第１空気流Ｂ１および第２空気流Ｂ２の各々の風向および風量を互いに独立して調整することで、部屋Ｒ１および部屋Ｒ２を互いに独立して空調することができる。
【００３４】
このようにすると、部屋Ｒ２の在室者Ｍ２の快適性とともに、部屋Ｒ１の在室者Ｍ１の快適性を確保することができる。また、空調装置１が連通孔５４に向けて第２空気流Ｂ２を送風することで、部屋Ｒ１の空調を必須とせずに部屋Ｒ２を空調することができるため、空気調和システム１００による空調効率を向上させることが可能となる。
【００３５】
（空調装置の構成）
次に、図２から図４を参照して、空調装置１の構成について説明する。
【００３６】
図２は、空調装置１の冷媒回路図である。図２を参照して、空調装置１は、室内機１０および室外機２０を備える。
【００３７】
室内機１０は、熱交換器１２と、送風ファン７ａ，７ｂと、絞り装置１４とを含む。熱交換器１２は、冷媒を凝縮させる凝縮器もしくは冷媒を蒸発させる蒸発器となる。送風ファン７ａ，７ｂは、熱交換器１２に向けて空気を送出する。絞り装置１４は、凝縮された冷媒を減圧する。
【００３８】
室外機２０は、熱交換器２２と、送風ファン２４と、圧縮機２８と、四方弁２６とを含む。熱交換器２２は、冷媒を凝縮させる凝縮器もしくは冷媒を蒸発させる蒸発器となる。送風ファン２４は、熱交換器２２に向けて空気を送出する。圧縮機２８は、冷媒を圧縮する。四方弁２６は、熱交換器２２に流れる冷媒の流れを反転する。
【００３９】
冷凍サイクル１０００は、冷媒回路を暖房用の経路と冷房用の経路とに切り替えることができる。暖房用冷媒回路は、圧縮機２８、熱交換器１２、絞り装置１４および熱交換器２２の順に経由して冷媒を圧縮機２８に戻す。冷房用冷媒回路は、圧縮機２８、熱交換器２２、絞り装置１４、および熱交換器１２の順に経由して冷媒を圧縮機２８に戻す。
【００４０】
送風ファン７ａ（以下、「第１ファン」とも称する。）は、熱交換器１２に供給する空気の流量を変えることができる。送風ファン７ｂ（以下、「第２ファン」とも称する。）は、熱交換器１２に供給する空気の流量を変えることができる。送風ファン２４は熱交換器２２に供給する空気の流量を変えることができる。送風ファン７ａ，７ｂ，２４の各々は、たとえば、ＤＣモータなどの駆動用モータによって駆動される遠心ファンまたは多翼ファンである。第１ファン７ａおよび第２ファン７ｂは、互いに独立して駆動されるように構成されている。
【００４１】
圧縮機２８は、運転容量を変えることができる。圧縮機２８は、たとえばインバータ（図示せず）により制御されるモータ（図示せず）によって駆動される容積式圧縮機である。図２の圧縮機２８に代えて、複数の圧縮機が並列もしくは直列に接続されていてもよい。
【００４２】
絞り装置１４は、冷媒回路内を流れる冷媒の流量を調整することができる。絞り装置１４は、たとえばステッピングモータ（図示せず）により絞りの角度を調整可能に構成された電子膨張弁、受圧部にダイアフラムを採用した機械式膨張弁、またはキャピラリーチューブにより構成される。
【００４３】
四方弁２６は、内部で部材がスライドすることにより熱交換器１２，２２を流れる冷媒の方向を切り替えるための弁である。室内を冷房する場合には、内部で部材がスライドすることにより、冷媒が実線で示す経路を流れるようになる。その結果、圧縮機２８、熱交換器２２、絞り装置１４、および熱交換器１２の順に冷媒が流れる冷媒回路が構成される。室内を暖房する場合には、内部で部材がスライドすることにより、冷媒が破線で示す経路を流れるようになる。その結果、圧縮機２８、熱交換器１２、絞り装置１４、および熱交換器２２の順に冷媒が流れる冷媒回路が構成される。
【００４４】
空調装置１に用いられる冷媒は、たとえばＲ４１０Ａ、Ｒ４０７Ｃ、Ｒ４０４ＡなどのＨＦＣ冷媒、Ｒ２２、Ｒ１３４ａなどのＨＣＦＣ冷媒、もしくは炭化水素、ヘリウムのような自然冷媒などがある。
【００４５】
図２を参照しながら冷凍サイクル１０００の冷房動作を説明する。圧縮機２８から吐出された冷媒は四方弁２６を通過して熱交換器２２へと流れる。熱交換器２２は凝縮器として動作する。冷媒は空気と熱交換するときに凝縮液化して、絞り装置１４へと流れる。熱交換器１２は蒸発器として動作する。冷媒は、熱交換器１２において部屋Ｒ１の空気から熱を奪って蒸発する。これにより、部屋Ｒ１の温度が下がる。その後、冷媒は、四方弁２６を通過して再び圧縮機２８に吸入される。
【００４６】
次に、冷凍サイクル１０００の暖房動作を説明する。圧縮機２８から吐出された冷媒は四方弁２６を通過して熱交換器１２へと流れる。熱交換器１２は凝縮器として動作する。冷媒は部屋Ｒ１の空気に熱を与えて凝縮液化する。これにより、部屋Ｒ１の温度が上がる。その後、冷媒は絞り装置１４へと流れる。冷媒は絞り装置１４で減圧される。熱交換器２２は蒸発器として動作する。冷媒は空気と熱交換して蒸発した後、四方弁２６を通過して再び圧縮機２８に吸入される。
【００４７】
図３は、室内機１０の外観を概略的に示す図である。図３を参照して、室内機１０の本体の上面および前面上部には空気の吸込口２が設けられている。室内機１０の本体の前面下部には空気の吹出口３が設けられている。室内機１０は、風向ベーン４、フラップ６ａ，６ｂ、および制御装置８をさらに含む。
【００４８】
風向ベーン４は、吹出口３から吹出される空気流の方向を左右方向に変更するように構成される。風向ベーン４は、第１ベーン４ａと、第２ベーン４ｂとを含む（図４参照）。第１ベーン４ａおよび第２ベーン４ｂは、吹出口３に対して並列に配置されている。
【００４９】
第１フラップ６ａおよび第２フラップ６ｂは、吹出口３に対して並列に配置されている。フラップ６ａ，６ｂの各々は、吹出口３から吹出される空気流の方向を上下方向に変更するように構成される。
【００５０】
すなわち、風向ベーン４およびフラップ６ａ，６ｂは、吹出口３から吹出される空気流Ｂ１，Ｂ２の方向を調整するための「風向調整部材」を構成する。
【００５１】
制御装置８は、空調装置１の動作を制御する。制御装置８は、ＣＰＵ（Central  Processing  Unit）、記憶装置、入出力バッファ等を含み（いずれも図示せず）、空調装置１および送風機５０の制御を実行する。なお、これらの制御については、ソフトウェアによる処理に限られず、専用のハードウェア（電子回路）で処理することも可能である。
【００５２】
制御装置８は、風向ベーン４、第１フラップ６ａおよびの第２フラップ６ｂの各々の傾き角度を制御することにより、吹出口３から吹出される第１空気流Ｂ１の方向Ｄ１および第２空気流Ｂ２の方向Ｄ２を調整する。制御装置８はさらに、第１ファン７ａおよび第２ファン７ｂ（図２）の各々の回転速度を制御することにより、吹出口３から吹出される第１空気流Ｂ１の風量Ｗ１および第２空気流Ｂ２の風量Ｗ２を調整する。
【００５３】
なお、図３に示すように、本実施の形態では、室内機１０の吹出口３の左半分（紙面左側）から吹出される空気流を第１空気流Ｂ１とし、吹出口３の右半分（紙面右側）から吹出される空気流を第２空気流Ｂ２としているが、この組み合わせは逆であってもよい。どちらの組み合わせを用いるかは、室内機１０の吹出口３と連通孔５４との位置関係に基づいて選択することができる。
【００５４】
図４は、室内機１０における空気流の方向および風量の制御を説明する図である。図４を参照して、第１ファン７ａおよび第２ファン７ｂは、室内機１０における空気の吹出口３（図３参照）に対して並列に配置されている。
【００５５】
第１ファン７ａは、図示しないファンモータによって回転駆動されることにより、熱交換器１２（図示せず）に空気を供給することができる。ファンモータは、制御装置８からの指示を受けて、第１ファン７ａを所定の回転速度で駆動させることができる。
【００５６】
第２ファン７ｂは、図示しないファンモータによって回転駆動されることにより、熱交換器１２に空気を供給することができる。ファンモータは、制御装置８からの指示を受けて、第２ファン７ｂを所定の回転速度で駆動させることができる。これにより、第１ファン７ａおよび第２ファン７ｂは、その送風量を互いに独立して制御することができる。
【００５７】
第１ベーン４ａは、第１ファン７ａから供給される空気流を受ける。第１ベーン４ａは、モータ９ａにより駆動されて回転することにより、その向きを左右方向に変更することが可能に構成されている。モータ９ａは、制御装置８からの指示を受けて、第１ベーン４ａを所定の傾き角度に動作させることができる。
【００５８】
第２ベーン４ｂは、第２ファン７ｂから供給される空気流を受ける。第２ベーン４ｂは、モータ９ｂにより駆動されて回転することにより、その向きを左右方向に変更することが可能に構成されている。モータ９ｂは、制御装置８からの指示を受けて、第２ベーン４ｂを所定の傾き角度に動作させることができる。
【００５９】
モータ９ａおよびモータ９ｂは、制御装置８からの指示に従って、互いに独立して動作することができる。これにより、第１ベーン４ａおよび第２ベーン４ｂは、その向きを互いに独立して変更することができる。
【００６０】
第１フラップ６ａは、第１ファン７ａから供給される空気流を受ける。第１フラップ６ａは、モータ１１ａにより駆動されて回転することにより、その向きを上下方向に変更することが可能に構成されている。モータ１１ａは、制御装置８からの指示を受けて、第１フラップ６ａを所定の傾き角度に動作させることができる。
【００６１】
第２フラップ６ｂは、第２ファン７ｂから供給される空気流を受ける。第２フラップ６ｂは、モータ１１ｂにより駆動されて回転することにより、その向きを上下方向に変更することが可能に構成されている。モータ１１ｂは、制御装置８からの指示を受けて、第２フラップ６ｂを所定の傾き角度に動作させることができる。
【００６２】
モータ１１ａおよびモータ１１ｂは、制御装置８からの指示に従って、互いに独立して動作することができる。これにより、第１フラップ６ａおよび第２フラップ６ｂは、その向きを互いに独立して変更することができる。
【００６３】
このような構成により、第１ファン７ａから供給される空気流は、第１ベーン４ａおよび第１フラップ６ａによって、その方向が上下方向および左右方向に調整されて、吹出口３から吹出される。すなわち、第１ベーン４ａおよび第１フラップ６ａは、第１空気流Ｂ１の方向Ｄ１を調整するための「第１風向調整部材」を構成する。第１ファン７ａは、第１空気流Ｂ１の風量Ｗ１を調整するように構成される。
【００６４】
第２ファン７ｂから供給される空気流は、第２ベーン４ｂおよび第２フラップ６ｂによって、その向きが上下方向および左右方向に調整されて、吹出口３から吹出される。すなわち、第２ベーン４ｂおよび第２フラップ６ｂは、第２空気流Ｂ２の方向Ｄ２を調整するための「第２風向調整部材」を構成する。第２ファン７ｂは、第２空気流Ｂ２の風量Ｗ２を調整するように構成される。
【００６５】
（送風機の構成）
図５は、送風機５０の外観を概略的に示す斜視図である。図５を参照して、送風機５０の本体の上面には空気の吸込口５５が設けられる。送風機５０の本体の前面下部には空気の吹出口５６が設けられる。送風機５０は、送風ファン５１、風向調整部材５３および制御装置５８を含む。送風ファン５１は、たとえば、ＤＣモータなどの駆動用モータによって駆動される遠心ファンまたは多翼ファンである。
【００６６】
連通孔５４を通過した第２空気流Ｂ２は、吸込口５５を通じて送風機５０の本体内部に導かれる。送風機５０の上面には、導入部材５２が取り付けられている。導入部材５２は、たとえば、連通孔５４側および吸込口５５側にそれぞれ開口を有する筒状形状を有している。このようにすると、連通孔５４を通過した第２空気流Ｂ２を効率良く送風機５０に供給することができる。これにより、送風機５０は第２空気流Ｂ２を効率良く部屋Ｒ２内に導入することができるため、結果的に部屋Ｒ２の空調効率を向上させることができる。
【００６７】
制御装置５８は、空調装置１の制御装置８から与えられる運転開始指令に従って、送風機５０の運転を開始する。具体的には、制御装置５８は、運転開始指令を受信すると、送風ファン５１を起動するとともに、風向調整部材５３である風向ベーン５３ａおよびフラップ５３ｂを所定の傾き角度に動作させる。
【００６８】
制御装置５８は、制御装置８から与えられる運転停止指令に従って、送風機５０の運転を停止する。具体的には、制御装置５８は、運転停止指令を受信すると、送風ファン５１を停止するとともに、風向調整部材５３の動作を停止する。
【００６９】
（制御構成）
次に、図６を参照して、空気調和システム１００の制御構成について説明する。
【００７０】
図６は、空調装置１の制御装置８を説明する機能ブロック図である。図６を始めとして以下で説明する各機能ブロック図において、各ブロックの機能は、制御装置８によるソフトウェア処理および／またはハードウェア処理によって実現することができる。
【００７１】
図６を参照して、制御装置８は、風向記憶部３０と、風向制御部３２と、風量制御部３４と、送風制御部３６とを含む。
【００７２】
風向記憶部３０は、室内機１０の吹出口３から吹出される、第１空気流Ｂ１の方向Ｄ１および第２空気流Ｂ２の方向Ｄ２を示す情報を格納する。風向記憶部３０は、たとえばフラッシュメモリ等の不揮発性メモリにより構成される。方向Ｄ１，Ｄ２は、後述する空気調和システムの運転モードごとに設定することができる。
【００７３】
風向制御部３２は、風向記憶部３０から読み出した方向Ｄ１に基づいて、第１風向調整部材である第１ベーン４ａおよび第１フラップ６ａの動作を制御する。具体的には、風向制御部３２は、第１ベーン４ａおよび第１フラップ６ａがそれぞれ、方向Ｄ１に対応した所定の傾き角度になるように、モータ９ａ，１１ａ（図４）を駆動する。
【００７４】
風向制御部３２はさらに、風向記憶部３０から読み出した方向Ｄ２に基づいて、第２風向調整部材である第２ベーン４ｂおよび第２フラップ６ｂの動作を制御する。具体的には、風向制御部３２は、第２ベーン４ｂおよび第２フラップ６ｂがそれぞれ、向きＤ２に対応した所定の傾き角度になるように、モータ９ｂ，１１ｂ（図４）を駆動する。
【００７５】
風量制御部３４は、第１空気流Ｂ１の風量Ｗ１および第２空気流Ｂ２の風量Ｗ２を制御する。具体的には、風量制御部３４は、室温センサＳ１によって検出された部屋Ｒ１の室温Ｔ１と設定温度Ｔ１＊との温度差ΔＴ１（＝Ｔ１＊−Ｔ１）、および室温センサＳ２によって検出された部屋Ｒ２の室温Ｔ２と設定温度Ｔ２＊との温度差ΔＴ２（＝Ｔ２＊−Ｔ２）を算出する。風量制御部３４は、算出した温度差ΔＴ１およびΔＴ２の少なくとも一方に基づいて、風量Ｗ１，Ｗ２を調整する。風量制御部３４は、ファンモータを駆動することにより、調整された風量Ｗ１になるように第１ファン７ａの回転速度を制御する。風量制御部３４は、ファンモータを駆動することにより、調整された風量Ｗ２になるように第２ファン７ｂの回転速度を制御する。
【００７６】
送風制御部３６は、送風機５０の動作を制御する。具体的には、送風制御部３６は、送風機５０の運転開始指令を受信すると、送風機５０の運転を開始する。送風機５０の制御装置５８（図５）は、送風制御部３６からの指示に従って、送風ファン５１（図５）を起動する。一方、送風制御部３６は、送風機５０の運転停止指令を受信すると、送風機５０の運転を停止する。送風機５０の制御装置５８は、送風制御部３６からの指示に従って、送風ファン５１を停止する。送風機５０の運転開始指令および運転停止指令は、コントローラにより発生することができる。
【００７７】
（空気調和システムの運転モード）
次に、図７から図９を参照して、実施の形態１に従う空気調和システム１００の運転モードについて説明する。図７から図９は、部屋Ｒ１および部屋Ｒ２が空調される状態を上空から見た模式図である。
【００７８】
実施の形態１に従う空気調和システム１００は、運転モードを、部屋Ｒ１のみを空調するモード、部屋Ｒ２のみを空調するモード、および部屋Ｒ１および部屋Ｒ２を空調するモードの間で切り替えることができる。
【００７９】
図７は、部屋Ｒ１のみを空調するモードを説明するための図である。図７を参照して、部屋Ｒ１のみを空調するモードでは、制御装置８（送風制御部３６）は、送風機５０に対して運転停止指令を出力する。送風機５０の制御装置５８は、運転停止指令を受信すると、送風ファン５１を停止させる。
【００８０】
空調装置１は、空気流Ｂ１，Ｂ２をともに部屋Ｒ１に向けて送風する。具体的には、制御装置８（風向制御部３２）は、第１空気流Ｂ１の方向Ｄ１が部屋Ｒ１となるように、第１風向調整部材（第１ベーン４ａおよび第１フラップ６ａ）の傾き角度を調整する。風向制御部３２はまた、第２空気流Ｂ２の方向Ｄ２が部屋Ｒ１となるように、第２風向調整部材（第２ベーン４ｂおよび第２フラップ６ｂ）の傾き角度を調整する。方向Ｄ１，Ｄ２はともに風向記憶部３０に予め格納されている。
【００８１】
制御装置８（風量制御部３４）は、室温センサＳ１によって検出された部屋Ｒ１の室温Ｔ１と設定温度Ｔ１＊との温度差ΔＴ１に基づいて、第１空気流Ｂ１の風量Ｗ１および第２空気流Ｂ２の風量Ｗ２を調整する。たとえば、風量制御部３４は、温度差ΔＴ１が予め定められた閾値αより大きい場合には、風量Ｗ１および風量Ｗ２の合計値（＝Ｗ１＋Ｗ２）が、コントローラで設定された風量、もしくは温度差ΔＴ１に基づいて設定された風量に一致するように、送風ファン７ａ，７ｂの回転速度を制御する。このときの風量Ｗ１と風量Ｗ２とは同量であってもよいし、異なる量であってもよい。
【００８２】
温度差ΔＴ１が閾値α以下となると、風量制御部３４は、風量Ｗ１，Ｗ２を減少するように送風ファン７ａ，７ｂの回転速度を制御する。なお、本願明細書において、「風量を減少する」とは、送風ファンが送風を停止する（すなわち、風量が０）ことも含む。
【００８３】
このような構成により、室内機１０の吹出口３から吹出される第１空気流Ｂ１および第２空気流Ｂ２を用いて部屋Ｒ１を空調することができる。
【００８４】
図８は、部屋Ｒ２のみを空調するモードを説明するための図である。図８を参照して、部屋Ｒ２のみを空調するモードでは、送風制御部３６は、送風機５０に対して運転開始指令を出力する。送風機５０の制御装置５８は、運転開始指令を受信すると、送風ファン５１を起動させる。
【００８５】
空調装置１は、第１空気流Ｂ１および第２空気流Ｂ２をともに連通孔５４に向けて送風する。具体的には、風向制御部３２は、第１空気流Ｂ１の方向Ｄ１が連通孔５４となるように、第１風向調整部材の傾き角度を調整する。風向制御部３２はまた、第２空気流Ｂ２の方向Ｄ２が連通孔５４となるように、第２風向調整部材の傾き角度を調整する。方向Ｄ１，Ｄ２はともに風向記憶部３０に予め格納されている。
【００８６】
風量制御部３４は、室温センサＳ２により検出された室温Ｔ２と設定温度Ｔ２＊との温度差ΔＴ２に基づいて、第１空気流Ｂ１の風量Ｗ１および第２空気流Ｂ２の風量Ｗ２を調整する。たとえば、風量制御部３４は、温度差ΔＴ２が予め定められた閾値αより大きい場合には、風量Ｗ１および風量Ｗ２の合計値（＝Ｗ１＋Ｗ２）が、コントローラで設定された風量、もしくは温度差ΔＴ２に基づいて設定された風量に一致するように、送風ファン７ａ，７ｂの回転速度を制御する。このときの風量Ｗ１と風量Ｗ２とは同量であってもよいし、異なる量であってもよい。
【００８７】
温度差ΔＴ２が閾値α以下になると、風量制御部３４は、風量Ｗ１，Ｗ２を減少するように送風ファン７ａ，７ｂの回転速度を制御する。
【００８８】
このような構成により、室内機１０の吹出口３から吹出される第１空気流Ｂ１および第２空気流Ｂ２を用いて部屋Ｒ２を空調することができる。
【００８９】
図９は、部屋Ｒ１および部屋Ｒ２を空調するモードを説明するための図である。図９を参照して、部屋Ｒ１および部屋Ｒ２を空調するモードでは、制御装置８は、送風機５０に対して運転開始指令を出力する。送風機５０の制御装置は、運転開始指令を受信すると、送風ファン５１を起動させる。
【００９０】
空調装置１は、第１空気流Ｂ１を部屋Ｒ１に向けて送風し、第２空気流Ｂ２を連通孔５４に向けて送風する。たとえば、風向制御部３２は、第１空気流Ｂ１の方向Ｄ１が部屋Ｒ１となるように、第１風向調整部材の傾き角度を調整する。風向制御部３２はさらに、第２空気流Ｂ２の方向Ｄ２が連通孔５４となるように、第２風向調整部材の傾き角度を調整する。方向Ｄ１，Ｄ２はともに風向記憶部３０に予め格納されている。
【００９１】
風量制御部３４は、温度差ΔＴ１およびΔＴ２に基づいて、第１空気流Ｂ１の風量Ｗ１および第２空気流Ｂ２の風量Ｗ２を調整する。たとえば、温度差ΔＴ１とΔＴ２との差の絶対値（＝｜ΔＴ１−ΔＴ２｜）が予め定められた閾値Ｔｔｈ以下である場合、風量制御部３４は、風量Ｗ１と風量Ｗ２とを同量とする。このときの風量は、たとえば、コントローラで設定されてもよく、温度差ΔＴ１に基づいて設定されてもよい。
【００９２】
上記絶対値が閾値Ｔｔｈよりも大きくなると、風量制御部３４は、温度差ΔＴ１およびΔＴ２の大小関係に応じて、風量Ｗ１，Ｗ２を調整する。具体的には、温度差ΔＴ１が温度差ΔＴ２より大きいときには（ΔＴ１＞ΔＴ２）、風量制御部３４は風量Ｗ１を増加する。一方、温度差ΔＴ２が温度差ΔＴ１より大きいときには（ΔＴ２＞ΔＴ１）、風量制御部３４は風量Ｗ２を増加する。すなわち、風量制御部３４は、部屋Ｒ１の温度差ΔＴ１および部屋Ｒ２の温度差ΔＴ２の大小を比較し、温度差が大きい方の部屋に向けて送風される空気流の風量を、温度差が小さい方の部屋に向けて送風される空気流の風量よりも大きくするように構成されている。
【００９３】
風量制御部３４は、風量Ｗ１，Ｗ２の各々が調整された風量に一致するように、送風ファン７ａ，７ｂの回転速度を制御する。風量制御部３４はさらに、温度差ΔＴ１が閾値α以下になると、風量Ｗ１を減少するように第１ファン７ａの回転速度を制御する。風量制御部３４は、温度差ΔＴ２が閾値α以下になると、風量Ｗ２を減少するように第２ファン７ｂの回転速度を制御する。
【００９４】
このような構成により、室内機１０の吹出口３から吹出される第１空気流Ｂ１を用いて部屋Ｒ１を空調することができ、かつ、第２空気流Ｂ２を用いて部屋Ｒ２を空調することができる。
【００９５】
（空調装置の風量制御および風向制御）
以下、空調装置１から送出される空気流の風量制御および風向制御について説明する。
【００９６】
（１）風量制御
最初に、空調装置１の制御装置８が実行する風量制御について説明する。
【００９７】
図１０は、空調装置１から送出される空気流Ｂ１，Ｂ２の風量制御の一例を説明するフローチャートである。図１０に示すフローチャートは、制御装置８において繰返し実行される。
【００９８】
図１０を参照して、制御装置８は、ステップＳ０１により、空気調和システム１００の運転モードが、部屋Ｒ１および部屋Ｒ２を空調するモード（図９参照）であるか否かを判定する。
【００９９】
空気調和システム１００の運転モードが、部屋Ｒ１および部屋Ｒ２を空調するモードである場合（Ｓ０１のＹＥＳ判定時）、制御装置８は、ステップＳ０２により、室温センサＳ１により検出された部屋Ｒ１の室温Ｔ１と設定温度Ｔ１＊との温度差ΔＴ１を算出する。制御装置８は、さらに、ステップＳ０３により、室温センサＳ２により検出された部屋Ｒ２の室温Ｔ２と設定温度Ｔ２＊との温度差ΔＴ２を算出する。
【０１００】
次に、制御装置８は、部屋Ｒ１における温度差ΔＴ１と部屋Ｒ２における温度差ΔＴ２との大小を比較する。具体的には、制御装置８は、ステップＳ０４により、温度差ΔＴ１と温度差ΔＴ２との差の絶対値（＝｜ΔＴ１−ΔＴ２｜）を算出し、算出した差の絶対値と所定の閾値Ｔｔｈとを比較する。上記差の絶対値が所定の閾値Ｔｔｈ以下である場合（Ｓ０４のＮＯ判定時）、制御装置８は、ステップＳ０９に進み、風量Ｗ１と風量Ｗ２とを等しくする。ステップＳ０９では、コントローラで風量が設定されてもよく、温度差ΔＴ１に基づいて風量が設定されてもよい。
【０１０１】
これに対して、上記差の絶対値が所定の閾値Ｔｔｈよりも大きい場合（Ｓ０４のＹＥＳ判定時）、制御装置８は、ステップＳ０５に進み、温度差ΔＴ１が温度差ΔＴ２より大きいか否かを判定する。温度差ΔＴ１が温度差ΔＴ２より大きい場合（Ｓ０５のＹＥＳ判定時）、制御装置８は、ステップＳ０６により、風量Ｗ１を増加する。一方、温度差ΔＴ２が温度差ΔＴ１より大きい場合（Ｓ０５のＮＯ判定時）、制御装置８は、ステップＳ１４により、風量Ｗ２を増加する。制御装置８は、さらに、ステップＳ０７により、送風機５０に対して運転開始指令を出力することにより、送風機５０を駆動する。
【０１０２】
制御装置８は、ステップＳ０８により、風量Ｗ１がステップＳ０６またはＳ０９で調整された風量に一致するように、第１ファン７ａを駆動する。制御装置８はまた、風量Ｗ２がステップＳ０９またはＳ１４で調整された風量に一致するように、第２ファン７ｂを駆動する。
【０１０３】
ステップＳ０１に戻って、空気調和システム１００の運転モードが部屋Ｒ１および部屋Ｒ２を空調するモードではない場合（Ｓ０１のＮＯ判定時）、制御装置８はステップＳ１０に進み、運転モードが部屋Ｒ１のみを空調するモード（図７参照）であるか否かを判定する。
【０１０４】
運転モードが部屋Ｒ１のみを空調するモードであると判定されると（Ｓ１０のＹＥＳ判定時）、制御装置８は、ステップＳ１１により、部屋Ｒ１における温度差ΔＴ１を算出すると、ステップＳ１２に進み、算出した温度差ΔＴ１に基づいて風量Ｗ１，Ｗ２を調整する。制御装置８は、図７で説明したように、温度差ΔＴ１が閾値αよりも大きいときには、風量Ｗ１および風量Ｗ２の合計値が設定風量に一致するように、風量Ｗ１，Ｗ２を調整する。
【０１０５】
制御装置８は、ステップＳ１３により、送風機５０に対して運転停止指令を出力することにより送風機５０を停止すると、ステップＳ０８に進み、風量Ｗ１，Ｗ２がステップＳ１２で調整された風量に一致するように、送風ファン７ａ，７ｂを駆動する。
【０１０６】
一方、ステップＳ１０にて運転モードが部屋Ｒ１のみを空調するモードではないと判定された場合（Ｓ１０のＮＯ判定時）、制御装置８は、ステップＳ１５に進み、運転モードが部屋Ｒ２のみを空調するモード（図８参照）であるか否かを判定する。運転モードが部屋Ｒ２のみを空調するモードである場合（Ｓ１５のＹＥＳ判定時）、制御装置８は、ステップＳ１６により、部屋Ｒ２における温度差ΔＴ２を算出する。制御装置８は、さらに、ステップＳ１７に進み、算出した温度差ΔＴ２に基づいて風量Ｗ１，Ｗ２を調整する。制御装置８は、図８で説明したように、温度差ΔＴ２が閾値αよりも大きいときには、風量Ｗ１および風量Ｗ２の合計値が設定風量に一致するように、風量Ｗ１，Ｗ２を調整する。
【０１０７】
制御装置８は、ステップＳ１８により、送風機５０に対して運転開始指令を出力することにより送風機５０を駆動すると、ステップＳ０８に進み、風量Ｗ１，Ｗ２がステップＳ１７で調整された風量に一致するように、送風ファン７ａ，７ｂを駆動する。
【０１０８】
（２）風向制御
次に、空調装置１の制御装置８が実行する風向制御について説明する。
【０１０９】
上述のように、第１空気流Ｂ１の方向Ｄ１および第２空気流Ｂ２の方向Ｄ２は、空気調和システム１００の運転モードごとに設定されて風向記憶部３０に格納されている。部屋Ｒ２のみを空調するモード（図８参照）または部屋Ｒ１および部屋Ｒ２を空調するモード（図９参照）については、第１空気流Ｂ１および第２空気流Ｂ２の少なくとも一方の方向が、連通孔５４に向けられるように設定される。この連通孔５４に向けて送風するための方向については、空調装置１は、最適な風向を自動的に学習する学習機能を有することができる。これによれば、人手を必要とせずに最適な風向に調整することができる。
【０１１０】
以下、風向制御の第１構成例として、空調装置１が実行する風向の学習について説明する。
【０１１１】
（風向制御の第１構成例）
図１１は、制御装置８の第１構成例を示す機能ブロック図である。図１１に示される制御装置８は、上述の図６に示した制御装置８に対して、風向学習部３８を含む点が異なる。制御装置８のその他の構成は、図６に示した制御装置８と同じであるため、ここでの詳細な説明は繰り返さない。
【０１１２】
風向学習部３８は、第１空気流Ｂ１の方向Ｄ１および第２空気流Ｂ２の方向Ｄ２の各々を連通孔５４に向けるための学習を実行する。この学習は、たとえば、空気調和システム１００の試験運転時、または初期運転時に実行することができる。あるいは、試験運転時または初期運転時に加えて、空気調和システム１００が部屋Ｒ１およびＲ２を空調しておらず、待機状態にあるときに、学習を実行してもよい。定期的に学習を実行することで、連通孔５４に向かう方向を更新することができる。この結果、風向制御の精度を保つことができる。
【０１１３】
図１２は、風向学習部３８による送風方向の学習処理を説明するための図である。図１２は、部屋Ｒ２が空調される状態を上空から見た模式図である。
【０１１４】
図１２を参照して、空調装置１は、第１空気流Ｂ１の方向Ｄ１を、左側から右側に向けて複数の方向の間で変化させることができる。図１２の例では、方向Ｄ１を、４つの方向Ｄ１ａ〜Ｄ１ｄの間で変化させることができる。空調装置１はまた、第２空気流Ｂ２の方向Ｄ２を、左側から右側に向けて複数の方向の間で変化させることができる。図１２の例では、方向Ｄ２を、４つの方向Ｄ２ａ〜Ｄ２ｄの間で変化させることができる。
【０１１５】
風向学習部３８は、第１空気流Ｂ１および第２空気流Ｂ２の各々について、４つの方向の中から連通孔５４に向かう最適な風向を学習する。具体的には、第１空気流Ｂ１について、風向学習部３８は、最初に、コントローラＣ２から、室温センサＳ２によって検出された空調前の部屋Ｒ２の室温Ｔ２（以下、初期温度とも称する。）および設定温度Ｔ２＊を受信する。次に、風向学習部３８は、第１空気流Ｂ１の向きＤ１をＤ１ａに設定すると、空調装置１（圧縮機２８、絞り装置１４および第１ファン７ａ）および送風機５０を駆動して、部屋Ｒ２の空調を開始する。このときの第１空気流Ｂ１の風量Ｗ１は予め設定された値に固定する。一方、第２ファン７ｂを運転停止状態とすることにより、第２空気流Ｂ２の風量Ｗ２を０とする。
【０１１６】
風向学習部３８は、空調中、コントローラＣ２から、室温センサＴ２によって検出された室温Ｔ２を受信する。風向学習部３８は、部屋Ｒ２の空調を開始してから室温Ｔ２が設定温度Ｔ２＊に到達するまでの時間（以下、「設定温度到達時間」とも称する。）を測定する。
【０１１７】
第１空気流Ｂ１の方向Ｄ１をＤ１ａとしたときの設定温度到達時間が測定されると、風向学習部３８は、空調装置１および送風機５０の運転を停止することにより、部屋Ｒ２の空調を停止する。空調を停止した後に室温Ｔ２が初期温度に戻ると、風向学習部３８は、方向Ｄ１をＤ１ｂに切り替えて、部屋Ｒ２の空調を再開する。このときの第１空気流Ｂ１の風量Ｗ１は、前回の空調における風量と同じ値に固定する。風向学習部３８は、空調中、コントローラＣ２から送信される室温Ｔ２に基づいて、設定温度到達時間を測定する。
【０１１８】
方向Ｄ１をＤ１ｂとしたときの設定温度到達時間が測定されると、風向学習部３８は、部屋Ｒ２の空調を停止する。部屋Ｒ２の室温Ｔ２が初期温度に戻ると、風向学習部３８は、方向Ｄ１をＤ１ｃに切り替えて、部屋Ｒ２の空調を再開する。空調中、風向学習部３８は、コントローラＣ２から送信される室温Ｔ２に基づいて、設定温度到達時間を測定する。
【０１１９】
方向Ｄ１をＤ１ｃとしたときの設定温度到達時間が測定されると、風向学習部３８は、部屋Ｒ２の空調を停止する。部屋Ｒ２の室温Ｔ２が初期温度に戻ると、風向学習部３８は、方向Ｄ１をＤ１ｄに切り替えて、部屋Ｒ２の空調を再開する。空調中、風向学習部３８は、コントローラＣ２から送信される室温Ｔ２に基づいて、設定温度到達時間を測定する。
【０１２０】
このようにして、風向学習部３８は、第１空気流Ｂ１について、複数の方向Ｄ１ａ〜Ｄ１ｄの各々の設定温度到達時間を測定する。なお、測定中は、第１空気流Ｂ１の風量Ｗ１を固定値とし、第２空気流Ｂ２の風量Ｗ２を０とする。
【０１２１】
第１空気流Ｂ１について設定温度到達時間を測定すると、風向学習部３８は、第２空気流Ｂ２についても、第１空気流Ｂ１と同様の方法を用いて、複数の方向Ｄ２ａ〜Ｄ２ｂの各々について設定温度到達時間を測定する。測定中は、第２空気流Ｂ２の風量Ｗ２を固定値とし、第１空気流Ｂ１の風量Ｗ１を０とする。なお、風量Ｗ２の固定値は上述した風量Ｗ１の固定値と同じ値とする。
【０１２２】
図１３は、空気流Ｂ１，Ｂ２の方向と設定温度到達時間との関係の一例を説明する図である。図１３において、横軸は、第１空気流Ｂ１の方向Ｄ１ａ〜Ｄ１ｄおよび第２空気流Ｂ２の方向Ｄ２ａ〜Ｄ２ｄを示す。縦軸は、設定温度到達時間の測定結果を示す。
【０１２３】
図１３を参照して、第１空気流Ｂ１については、方向Ｄ１ａのときに設定温度到達時間が最も短くなっている。これにより、方向Ｄ１ａが、第１空気流Ｂ１が連通孔５４に向かう最適な風向であると判断できる。第２空気流Ｂ２については、方向Ｄ２ｃのときに設定温度到達時間が最も短くなっている。これにより、方向Ｄ２ｃが、第２空気流Ｂ２が連通孔５４に向かう最適な風向であると判断できる。
【０１２４】
さらに、方向Ｄ１ａと方向Ｄ２ｃとの間で設定温度到達時間を比較すると、方向Ｄ２ｃの方が方向Ｄ１ａよりも設定温度到達時間が短くなっている。これにより、第２空気流Ｂ２の方向Ｄ２をＤ２ｃに調整することで、室内機１０から吹出される空気流を最も効率良く連通孔５４に向けて送風することができると判断できる。
【０１２５】
風向学習部３８は、図１３に示される関係に基づいて、部屋Ｒ２のみを空調するモードでの連通孔５４に向かう最適な風向を学習し、学習結果を風向記憶部３０に格納する。図１３の例では、空気流Ｂ１，Ｂ２をともに連通孔５４に向けるために、方向Ｄ１ａおよび方向Ｄ２ｃが格納される。
【０１２６】
風向学習部３８はまた、部屋Ｒ１および部屋Ｒ２を空調するモードでの連通孔５４に向かう最適な風向を学習し、学習結果を風向記憶部３０に格納する。図１３の例では、設定温度到達時間が最短となる方向Ｄ２ｃが格納される。すなわち、第２空気流Ｂ２が、その方向をＤ２ｃに調整された状態で部屋Ｒ２の空調に使用されるとともに、第１空気流Ｂ１が部屋Ｒ１の空調に使用されることになる。なお、第１空気流Ｂ１の方向Ｄ１については、複数の方向Ｄ１ａ〜Ｄ１ｄを風向記憶部３０に格納するようにしてもよい。これによれば、部屋Ｒ１の空調中、第１空気流Ｂ１の方向Ｄ１を、複数の方向Ｄ１ａ〜Ｄ１ｄの間で切り替えることができる。
【０１２７】
図１４は、風向学習部３８による送風方向の学習処理の手順を説明するフローチャートである。
【０１２８】
図１４を参照して、風向学習部３８は、ステップＳ２１により、空気流を発生させる送風ファンおよび当該空気流の方向を設定する。図１２の例では、風向学習部３８は、送風ファン７ａ，７ｂのいずれか一方を選択するとともに、選択した送風ファンが有する複数の方向の中から空気流の向きを選択する。
【０１２９】
風向学習部３８は、ステップＳ２２により、ステップＳ２１で設定した送風ファンを駆動して空気流を発生させるとともに、送風機５０を駆動して連通孔５４を通過した空気流を部屋Ｒ２内に導入する。このとき、風向学習部３８は、風向調整部材を制御することにより、室内機１０の吹出口３から吹出される空気流の方向を、ステップＳ２１で設定した方向に調整する。
【０１３０】
部屋Ｒ２の空調中、風向学習部３８は、ステップＳ２３により、コントローラＣ２を経由して、室温センサＳ２により検出される部屋Ｒ２の室温Ｔ２を取得する。風向学習部３８は、ステップＳ２４に進み、取得した室温Ｔ２に基づいて設定温度到達時間を測定する。風向学習部３８は、ステップＳ２５により、設定温度到達時間の測定値を、空気流の方向と対応付けて内部の記憶領域に格納する。
【０１３１】
風向学習部３８は、ステップＳ２６により、ステップＳ２１で設定した送風ファンが有する複数の風向について、風向の変更が完了したか否かを判定する。複数の風向の少なくとも１つについて設定温度到達時間の測定値が得られていない場合（Ｓ２６のＮＯ判定時）、風向学習部３８は、風向の変更が完了していないと判定する。この場合、風向学習部３８は、処理をステップＳ２１に戻すことにより、ステップＳ２１で設定した送風ファンの風向を、設定温度到達時間の測定が未だ行なわれていない風向に設定する。風向学習部３８は、ステップＳ２２〜Ｓ２５の処理を実行することにより、設定した風向についての設定温度到達時間の測定値を取得する。
【０１３２】
これに対して、ステップＳ２１で設定した送風ファンが有する複数の風向の全てについて設定温度到達時間の測定値が得られている場合（Ｓ２６のＹＥＳ判定時）、風向学習部３８は、風向の変更が完了したと判定する。風向学習部３８は続いて、ステップＳ２７により、送風ファンの変更が完了したか否かを判定する。ステップＳ２１にて送風ファン７ａ，７ｂのいずれか一方が未選択である場合（Ｓ２７のＮＯ判定時）、風向学習部３８は、処理をステップＳ２１に戻すことにより、送風ファンの設定を切り替える。風向学習部３８はさらに、新たに設定された送風ファンが有する複数の風向の中から空気流の向きを選択する。風向学習部３８は、ステップＳ２２〜Ｓ２５の処理を実行することにより、送風ファンが有する複数の風向の各々について設定温度到達時間の測定値を取得する。
【０１３３】
一方、送風ファン７ａ，７ｂの各々について、複数の風向の全てについて設定温度到達時間の測定値が得られている場合（Ｓ２７のＹＥＳ判定時）、風向学習部３８は、送風ファンの変更が完了したと判定する。風向学習部３８は、ステップＳ２８に進み、記憶領域から複数の設定温度到達時間の測定値を読み出すと、ステップＳ２９により、複数の設定温度到達時間のうち、最も短くなるものに基づいて、送風ファンごとの最適な風向を決定する。風向学習部３８は、ステップＳ３０により、決定した送風ファンごとの最適な風向を風向記憶部３０に格納する。
【０１３４】
実施の形態１に従う空気調和システムによれば、室内機１０からの第１空気流Ｂ１を部屋Ｒ１に向けて送風し、第２空気流Ｂ２を連通孔５４に向けて送風する構成において、第１空気流Ｂ１および第２空気流Ｂ２の各々の風向および風量を互いに独立して調整することにより、部屋Ｒ１および部屋Ｒ２を互いに独立して空調することができる。
【０１３５】
このようにすると、部屋Ｒ２の在室者Ｍ２の快適性とともに、部屋Ｒ１の在室者Ｍ１の快適性を確保することができる。また、空調装置１が連通孔５４に向けて第２空気流Ｂ２を送風することで、部屋Ｒ１の空調を必須とせずに部屋Ｒ２を空調することができるため、空気調和システム１００による空調効率を向上させることが可能となる。
【０１３６】
［実施の形態２］
実施の形態２では、空調装置１の制御装置８が実行する風向制御の他の構成例について説明する。
【０１３７】
最初に、風向制御の第２構成例として、連通孔５４に向けて送風するための最適な風向をユーザが初期入力する構成について説明する。次に、風向制御の第３構成例として、空調装置１が、壁部ＷＡにおける連通孔５４の位置を検出することにより、最適な風向を導出する構成について説明する。
【０１３８】
（風向制御の第２構成例）
図１５は、制御装置８における風向制御の第２構成例を示す機能ブロック図である。図１５に示される制御装置８は、上述の図６に示した制御装置８に対して、風向入力部４０および連通孔入力部４２を含む点が異なる。制御装置８のその他の構成は、図６に示した制御装置８と同じであるため、ここでの詳細な説明は繰り返さない。
【０１３９】
図１５を参照して、風向入力部４０は、空気流Ｂ１，Ｂ２の各々について連通孔５４に向かう方向に関するユーザの入力を受け付け可能に構成される。連通孔入力部４２は、連通孔の区分に関するユーザの入力を受け付け可能に構成される。「連通孔の区分」とは、空調装置１が設置される部屋Ｒ１とどの部屋とを連通するための連通孔であるかを示したものである。図１の例では、連通孔５４が部屋Ｒ１と部屋Ｒ２とを連通する連通孔であることを示す信号が、連通孔入力部４２に入力される。
【０１４０】
送風方向および連通孔の区分に関するユーザの操作入力をコントローラが受け付けると、受け付けた操作に係る信号がコントローラから風向入力部４０および連通孔入力部４２に与えられる。風向入力部４０および連通孔入力部４２は、コントローラから与えられた信号に基づいて、第１空気流Ｂ１の方向Ｄ１および第２空気流Ｂ２の方向Ｄ２を風向記憶部３０に格納する。
【０１４１】
第２構成例によれば、初期入力によって連通孔と最適な風向との関係を記憶することができるため、空調装置１は、最適な風向を学習するための運転を行なわずに、連通孔に向けて空気流を送風することができる。
【０１４２】
なお、上述した第１構成例を第２構成例に組み合わせることで、風向制御の精度を保つことができる。たとえば、空気調和システム１００が待機状態にあるときに、上述した風向方向の学習を実行し、連通孔に向かう風向を更新するようにしてもよい。
【０１４３】
（風向制御の第３構成例）
図１６は、制御装置８における風向制御の第３構成例を示す機能ブロック図である。図１６に示される制御装置８は、上述の図６に示した制御装置８に対して、風向演算部４４および画像解析部４６を含む点が異なる。制御装置８のその他の構成は、図６に示した制御装置８と同じであるため、ここでの詳細な説明は繰り返さない。
【０１４４】
図１６を参照して、空調装置１は撮像部９を含む。撮像部９は、室内機１０に設置されている。撮像部９は、たとえば室内機１０の本体の前面に配置されている。撮像部９は、部屋Ｒ１の室内を撮像することができる。撮像部９は、たとえば、一回の撮影で十分に広い範囲の視野角を撮影することができる広角レンズを備えており、一回の撮影で室内全体の画像を取得することができる。あるいは、撮像部９は、回動可能なレンズを備えており、レンズを所定角度ずつ回動して撮影することにより、複数回の撮影で室内全体の画像を取得することができる。撮像部９は、撮像した室内の画像を画像解析部４６へ出力する。
【０１４５】
画像解析部４６は、撮像部９により撮像された画像に基づいて、部屋Ｒ１の室内における連通孔５４の位置を検出する。画像解析部４６は、画像データに周知の画像解析処理を施すことにより、壁部ＷＡにおける連通孔５４の位置を検出する。
【０１４６】
風向演算部４４は、画像解析部４６により検出された連通孔５４の位置に基づいて、空気流Ｂ１が連通孔５４に向かう最適な風向、および空気流Ｂ２が連通孔５４に向かう最適な風向を演算する。風向演算部４４は、演算結果を、部屋Ｒ２のみを空調するモードでの連通孔５４に向かう最適な風向として、風向記憶部３０に格納する。
【０１４７】
風向演算部４４はさらに、検出された連通孔５４の位置に基づいて、部屋Ｒ１および部屋Ｒ２を空調するモードでの連通孔５４に向かう最適な風向を演算する。具体的には、風向演算部４４は、室内機１０の吹出口３と連通孔５４との位置関係に基づいて、空気流Ｂ１，Ｂ２のどちらを連通孔５４に向けて送風するかを決定する。風向演算部４４は、決定した空気流についての最適な風向を、部屋Ｒ１および部屋Ｒ２を空調するモードでの連通孔５４に向かう最適な風向として、風向記憶部３０に格納する。
【０１４８】
第３構成例によれば、空調装置１の運転の初期時において連通孔と最適な風向との関係を自動的に記憶することができるため、最適な風向を学習するための運転を行なわずに、連通孔に向けて空気流を送風することができる。
【０１４９】
［実施の形態３］
実施の形態３では、空調装置１の制御装置８が実行する風量制御の他の構成例について説明する。
【０１５０】
図１７（Ａ）は、部屋Ｒ２を冷房するときの風量制御を説明する図である。同図に示される風量制御は、部屋Ｒ１および部屋Ｒ２を空調（冷房）するモード、および部屋Ｒ２のみを空調（冷房）するモードにおいて実行することができる。
【０１５１】
部屋Ｒ２を冷房するときには、室内機１０の吹出口３から連通孔５４に向けて冷風が送風される。制御装置８では、風量制御部３４は、連通孔５４に向けて送風される冷風の風量を調整する。風量制御部３４は、連通孔５４に向けて送風される冷風の風量を、予め設定された風量よりも増加させる。予め設定された風量とは、室温センサＳ２（図示せず）により検出された部屋Ｒ２の室温Ｔ２と設定温度Ｔ２＊との温度差ΔＴ２に基づいて設定された風量、あるいは、コントローラで設定された風量である。
【０１５２】
部屋Ｒ１において、室内機１０の吹出口３から吹出された冷風は、室内の空気に比べて密度が高いため、室内の下部に向かって流れやすくなる。そのため、連通孔５４に到達する冷風の風量が少なくなると、部屋Ｒ２内に導入される冷風の風量も少なくなるため、結果的に部屋Ｒ２を効率的に冷房することが困難となる可能性がある。
【０１５３】
実施の形態３では、図１７（Ａ）に示されるように、連通孔５４に向けて送風される冷風の風量を設定風量よりも増加させることで、連通孔５４に到達する冷風の風量を増加させる。連通孔５４に効率的に冷風が送風されることにより、部屋Ｒ２内に導入される冷風の風量の減少を防ぐことができるため、部屋Ｒ２を効率的に冷房することができる。
【０１５４】
具体的には、部屋Ｒ２のみを冷房するモードでは、風量制御部３４は、第１空気流Ｂ１の風量Ｗ１および第２空気流Ｂ２の風量Ｗ２の合計値を、設定風量よりも増加させる。設定風量からの増加量は一定量であってもよいし、温度差ΔＴ２に応じた量であってもよい。たとえば、温度差ΔＴ２が小さくなるほど増加量を小さくするようにしてもよい。
【０１５５】
図１７（Ｂ）は、部屋Ｒ２を暖房するときの風量制御を説明する図である。同図に示される風量制御は、部屋Ｒ２のみを空調（暖房）するモードにおいて実行することができる。
【０１５６】
部屋Ｒ２を暖房するときには、室内機１０の吹出口３から連通孔５４に向けて温風が送風される。風量制御部３４は、連通孔５４に向けて送風される温風の風量を調整する。風量制御部３４は、連通孔５４に向けて送風される温風の風量を、予め設定された風量よりも減少させる。予め設定された風量とは、室温センサＳ２（図示せず）により検出された部屋Ｒ２の室温Ｔ２と設定温度Ｔ２＊との温度差ΔＴ２に基づいて設定された風量、あるいは、コントローラで設定された風量である。
【０１５７】
部屋Ｒ２において、室内機１０の吹出口３から吹出された温風は、室内の空気に比べて密度が低いため、室内の上部に溜まりやすくなる。そのため、部屋Ｒ１の室内では、天井側から床側に向かって空気の温度が低くなる温度成層が形成される。すなわち、連通孔５４が位置する高所部には高温域が形成される。
【０１５８】
実施の形態３に従う空気調和システム１００では、図１７（Ｂ）に示されるように、連通孔５４に向けて送風される温風の風量を設定風量よりも減少させることで、部屋Ｒ１の室内における空気の対流を抑制する。すなわち、部屋Ｒ１の室内に積極的に高温域を形成する。このようにすると、高所部に位置する連通孔５４に対して温風を効率的に送風することができるため、結果的に部屋Ｒ２を効率的に暖房することができる。
【０１５９】
具体的には、部屋Ｒ２のみを空調するモードでは、風量制御部３４は、第１空気流Ｂ１の風量Ｗ１および第２空気流Ｂ２の風量Ｗ２の合計値を、設定風量よりも減少させる。設定風量からの減少量は一定量であっても、温度差ΔＴ２に応じた量であってもよい。たとえば、温度差ΔＴ２が小さくなるほど減少量を小さくするようにしてもよい。
【０１６０】
［実施の形態４］
実施の形態４では、部屋Ｒ２を空調するための空調装置１および送風機５０の運転制御の構成例について説明する。
【０１６１】
最初に、運転制御の第１構成例として、部屋Ｒ２における在室者の有無を検出することにより、空調装置１および送風機５０の運転を制御する構成について説明する。次に、運転制御の第２構成例として、部屋Ｒ２への人の入退室予定時刻に関する入力に基づいて、空調装置１および送風機５０の運転を制御する構成について説明する。
【０１６２】
（運転制御の第１構成例）
図１８は、制御装置８における運転制御の第１構成例を示す機能ブロック図である。図１８に示される制御装置８は、上述の図６に示した制御装置８に対して、運転制御部４８を含む点が異なる。制御装置８のその他の構成は、図６に示した制御装置８と同じであるため、ここでの詳細な説明は繰り返さない。
【０１６３】
図１８を参照して、送風機５０は在室検出部５７を含む。在室検出部５７は、部屋Ｒ２における在室者の有無を検出する。在室検出部５７は、たとえば、人体から放射される赤外線を検知することにより人の存否を検出する赤外線センサなどの人感センサにより構成することができる。あるいは、部屋Ｒ２内を撮像する撮像部から得られる画像から人体を検出する構成としてもよい。撮像部は、たとえば、送風機５０の本体の前面に配置される。在室検出部５７は、送風機５０に設置されてもよいし、コントローラＣ２に設置されてもよい。
【０１６４】
在室検出部５７は、部屋Ｒ２の在室者を検出したとき、Ｈ（論理ハイ）レベルに活性化された検出信号ＤＥＴを運転制御部４８へ出力する。在室検出部５７はまた、部屋Ｒ２から在室者が退出することで部屋Ｒ２に人が不在となったことを検出したとき、Ｌ（論理ロー）レベルに非活性化された検出信号ＤＥＴを運転制御部４８へ出力する。
【０１６５】
運転制御部４８は、在室検出部５７から与えられる検出信号ＤＥＴに基づいて、空調装置１および送風機５０の運転を制御する。
【０１６６】
具体的には、部屋Ｒ２のみを空調するモードでは、運転制御部４８は、在室検出部５７からＨレベルの検出信号ＤＥＴが与えられると、空調装置１および送風機５０を起動する。運転制御部４８は、圧縮機２８、熱交換器１２，２２、および絞り装置１４を動作させるとともに、風向制御部３２および風量制御部３４に対して運転指示を出力する。
【０１６７】
風向制御部３２は、運転制御部４８から運転指示を受けると、風向記憶部３０から読み出した方向Ｄ１に基づいて、第１空気流Ｂ１の方向Ｄ１が連通孔５４となるように、第１風向調整部材の傾き角度を調整する。風向制御部３２はまた、風向記憶部３０から読み出した方向Ｄ２に基づいて、第２空気流Ｂ２の方向Ｄ２が連通孔５４となるように、第２風向調整部材の傾き角度を調整する。
【０１６８】
風量制御部３４は、運転指示を受けると、室温センサＳ２により検出された室温Ｔ２と設定温度Ｔ２＊との温度差ΔＴ２に基づいて、第１空気流Ｂ１の風量Ｗ１および第２空気流Ｂ２の風量Ｗ２を調整する。送風制御部３６は、運転制御部４８から運転開始指令を受けると、送風機５０を起動する。
【０１６９】
一方、運転制御部４８は、在室検出部５７からＬレベルの検出信号ＤＥＴが与えられると、空調装置１および送風機５０の運転を停止する。運転制御部４８は、圧縮機２８、熱交換器１２，２２、および絞り装置１４の運転を停止するとともに、風向制御部３２および風量制御部３４に対して運転停止指示を出力する。
【０１７０】
風向制御部３２は、運転制御部４８から運転停止指示を受けると、第１風向調整部材および第２風向調整部材の各々の傾き角度を所定のデフォルト値に戻す。風量制御部３４は、運転停止指示を受けると、送風ファン７ａ，７ｂの運転を停止する。運転制御部４８はさらに、送風制御部３６に対して運転停止指令を出力することにより、送風機５０の運転を停止する。
【０１７１】
これに対して、部屋Ｒ１および部屋Ｒ２を空調するモードでは、運転制御部４８は、部屋Ｒ２に人が在室しているときには、部屋Ｒ１および部屋Ｒ２を空調する一方で、部屋Ｒ２に人が不在のときには、部屋Ｒ１のみを空調するように、空調装置１および送風機５０の運転を制御する。
【０１７２】
具体的には、運転制御部４８は、在室検出部５７からＨレベルの検出信号ＤＥＴが与えられると、風向制御部３２および風量制御部３４に対して切替指示を出力する。
【０１７３】
風向制御部３２は、運転制御部４８から切替指示を受けると、第２空気流Ｂ２の方向Ｄ２を、部屋Ｒ１に向かう方向から連通孔５４に向かう方向に変更する。
【０１７４】
風量制御部３４は、運転制御部４８から切替指示を受けると、第１空気流Ｂ１の風量Ｗ１および第２空気流Ｂ２の風量Ｗ２を変更する。具体的には、風量制御部３４は、第２空気流Ｂ２の風量Ｗ２を、温度差ΔＴ１に代えて、温度差ΔＴ２に基づいて調整する。
【０１７５】
運転制御部４８はさらに、送風制御部３６に対して運転開始指令を出力することにより、送風機５０を起動する。
【０１７６】
一方、在室検出部５７からＬレベルの検出信号ＤＥＴが与えられると、運転制御部４８は、送風制御部３６に対して運転停止指令を出力することにより、送風機５０の運転を停止する。運転制御部４８はさらに、風向制御部３２および風量制御部３４に対して切替指示を出力する。
【０１７７】
風向制御部３２は、運転制御部４８から切替指示を受けると、第２空気流Ｂ２の方向Ｄ２が部屋Ｒ１となるように、第２風向調整部材の傾き角度を調整する。風量制御部３４は、切替指示を受けると、第２空気流Ｂ２の風量Ｗ２を、温度差ΔＴ２に代えて、温度差ΔＴ１に基づいて調整する。この結果、部屋Ｒ２に人が不在のときには、実質的に部屋Ｒ１のみを空調するモードが実現される。
【０１７８】
図１９は、制御装置８における運転制御の第１構成例を説明するフローチャートである。図１９に示すフローチャートは、制御装置８において繰返し実行される。
【０１７９】
図１９を参照して、制御装置８は、ステップＳ４１により、部屋Ｒ２に人が入室したか否かを検出する。部屋Ｒ２に人が入室していない場合（Ｓ４１のＮＯ判定時）、制御装置８は処理を終了する。一方、部屋Ｒ２に人が入室したことが検出されると（Ｓ４１のＹＥＳ判定時）、制御装置８は、ステップＳ４２に進み、空気調和システム１００が部屋Ｒ１を空調中であるか否かを判定する。空調装置１が部屋Ｒ１を空調中である場合（Ｓ４２のＹＥＳ判定時）、制御装置８は、ステップＳ４３により、送風機５０に運転開始指令を出力することにより、送風機５０を起動する。次に、制御装置８は、ステップＳ４４により、室内機１０の吹出口３から送出される空気流Ｂ１，Ｂ２の方向Ｄ１，Ｄ２および風量Ｗ１，Ｗ２を変更する。具体的には、制御装置８は、室内機１０からの第１空気流Ｂ１を部屋Ｒ１に向けて送風し、第２空気流Ｂ２を連通孔５４に向けて送風する。制御装置８はまた、部屋Ｒ１における温度差ΔＴ１と部屋Ｒ２におけるΔＴ２との大小関係に基づいて、第１空気流Ｂ１の風量Ｗ１および第２空気流Ｂ２の風量Ｗ２を調整する。これにより、空気調和システム１００は、ステップＳ４５により、部屋Ｒ１のみを空調する状態から部屋Ｒ１および部屋Ｒ２を空調する状態に移行する。
【０１８０】
部屋Ｒ１および部屋Ｒ２を空調する状態において、制御装置８は、ステップＳ４６により、部屋Ｒ２から人が退室したか否かを検出する。部屋Ｒ２から人が退出していない場合（Ｓ４６のＮＯ判定時）、制御装置８はステップＳ４５に戻り、部屋Ｒ１および部屋Ｒ２の空調を実行する。
【０１８１】
一方、部屋Ｒ２から人が退出したことが検出されると（Ｓ４６のＹＥＳ判定時）、制御装置８は、ステップＳ４７に進み、送風機５０に運転停止指令を出力することにより、送風機５０の運転を停止する。制御装置８は、さらに、ステップＳ４８により、室内機１０の吹出口３から送出される空気流Ｂ１，Ｂ２の方向Ｄ１，Ｄ２および風量Ｗ１，Ｗ２を変更する。具体的には、制御装置８は、室内機１０からの第１空気流Ｂ１および第２空気流Ｂ２をともに部屋Ｒ１に向けて送風する。このとき、制御装置８は、部屋Ｒ１における温度差ΔＴ１に基づいて、第１空気流Ｂ１の風量Ｗ１および第２空気流Ｂ２の風量Ｗ２を調整する。これにより、空気調和システム１００は、ステップＳ４９により、部屋Ｒ１および部屋Ｒ２を空調する状態から部屋Ｒ１のみを空調する状態に移行する。
【０１８２】
ステップＳ４２に戻って、空気調和システム１００が部屋Ｒ１を空調中でない場合（Ｓ４２のＮＯ判定時）、制御装置８は、ステップＳ５０に進み、送風機５０に運転開始指令を出力することにより、送風機５０を起動する。制御装置８は、さらに、ステップＳ５１により、空調装置１を起動する。制御装置８は、ステップＳ５２により、室内機１０の吹出口３から送出される空気流Ｂ１，Ｂ２の方向Ｄ１，Ｄ２および風量Ｗ１，Ｗ２を設定する。具体的には、制御装置８は、室内機１０からの第１空気流Ｂ１および第２空気流Ｂ２をともに連通孔５４に向けて送風する。制御装置８はまた、部屋Ｒ２における温度差ΔＴ２に基づいて、第１空気流Ｂ１の風量Ｗ１および第２空気流Ｂ２の風量Ｗ２を調整する。これにより、空気調和システム１００の運転モードは、ステップＳ５３により、部屋Ｒ１および部屋Ｒ２を空調していない状態から部屋Ｒ２のみを空調する状態に移行する。
【０１８３】
部屋Ｒ２のみを空調する状態において、制御装置８は、ステップＳ５４により、部屋Ｒ２から人が退室したか否かを検出する。部屋Ｒ２から人が退出していない場合（Ｓ５４のＮＯ判定時）、制御装置８はステップＳ５３に戻り、部屋Ｒ２のみの空調を実行する。一方、部屋Ｒ２から人が退出したことが検出されると（Ｓ５４のＹＥＳ判定時）、制御装置８は、ステップＳ５５に進み、送風機５０に運転停止指令を出力することにより、送風機５０の運転を停止する。制御装置８は、さらに、ステップＳ５６により、空調装置１の運転を停止する。これにより、空気調和システム１００は、部屋Ｒ２のみを空調する状態から部屋Ｒ１および部屋Ｒ２を空調していない状態に移行する。
【０１８４】
運転制御の第１構成例によれば、部屋Ｒ１および部屋Ｒ２を空調するモードにおいて、部屋Ｒ２に人がいるときに送風機５０を駆動し、部屋Ｒ２に人が不在となったときに送風機５０の運転を停止する。部屋Ｒ２のみを空調するモードにおいては、部屋Ｒ２に人がいるときに空調装置１および送風機５０を駆動し、部屋Ｒ２に人が不在となったときに空調装置１および送風機５０の運転を停止する。このようにすると、部屋Ｒ２の空調が必要でないときの無駄な電力消費を抑えることができる。
【０１８５】
（運転制御の第２構成例）
図２０は、制御装置８における運転制御の第２構成例を示す機能ブロック図である。図２０に示される制御装置８は、上述の図６に示した制御装置８に対して、運転制御部４８および在室予定入力部５９を含む点が異なる。制御装置８のその他の構成は、図６に示した制御装置８と同じであるため、ここでの詳細な説明は繰り返さない。
【０１８６】
在室予定入力部５９は、入室予定時刻および退室予定時刻の各々に関するユーザの入力を受け付け可能に構成される。在室予定入力部５９は、入室予定時刻および退室予定時刻に関するユーザの操作入力を受け付けると、受け付けた操作に係る信号を運転制御部４８へ出力する。運転制御部４８は、部屋Ｒ２における入室予定時刻および退室予定時刻に基づいて、空調装置１および送風機５０の運転を制御する。
【０１８７】
図２１は、部屋Ｒ２の入退室予定時刻に基づいた部屋Ｒ２の空調の一例を説明する図である。図２１においては、横軸に時間、縦軸に室温センサＳ２により検出される部屋Ｒ２の室温Ｔ２を示している。時刻ｔ２は入室予定時刻であり、時刻ｔ３は退室予定時刻である。図２１は、部屋Ｒ２を冷房するときの室温Ｔ２の時間的変化の一例を示している。
【０１８８】
図２１を参照して、運転制御部４８は、入室予定時刻ｔ２よりも早い時刻ｔ１にて送風機５０を起動する。運転制御部４８は、風向制御部３２および風量制御部３４に対して運転指示または切替指示を出力することにより、室内機１０の吹出口３から吹出される空気流の少なくとも一部を連通孔５４に向けて送風する。これにより、部屋Ｒ２の空調を開始する。
【０１８９】
時刻ｔ１にて部屋Ｒ２の空調を開始することにより、部屋Ｒ２の室温Ｔ２が低下する。これにより、図２１では入室予定時刻ｔ２において、室温Ｔ２が設定温度Ｔ２＊に到達している。
【０１９０】
運転制御部４８は、さらに、退室予定時刻ｔ３よりも後の時刻ｔ４にて送風機５０の運転を停止する。運転制御部４８は、風向制御部３２および風量制御部３４に対して運転停止指示または切替指示を出力することにより、空気流を連通孔５４に向けて送風することを停止する。これにより、部屋Ｒ２の空調を停止する。
【０１９１】
運転制御の第２構成例によれば、部屋Ｒ２を空調するときには、部屋Ｒ２の入室予定時刻よりも早い時刻に部屋Ｒ２の空調を自動的に開始することで、入室予定時刻ｔ２において部屋Ｒ２の室温Ｔ２を設定温度Ｔ２＊に一致させることができる。これにより、部屋Ｒ２の在室者の快適性を向上させることができる。また、入室予定時刻ｔ２の直前に室温Ｔ２が設定温度Ｔ２＊に到達するように、部屋Ｒ２の空調負荷などに基づいて空調開始時刻ｔ１を調整することで、部屋Ｒ２の空調が必要でないときの無駄な電力消費を抑えることができる。
【０１９２】
［実施の形態５］
実施の形態５では、空気調和システム１００により、部屋Ｒ１（第１空間）、部屋Ｒ２（第２空間）および部屋Ｒ３（第３空間）を空調する構成について説明する。
【０１９３】
図２２および図２３を参照して、実施の形態５に従う空気調和システム１００の運転モードについて説明する。図２２および図２３は、部屋Ｒ１、部屋Ｒ２および部屋Ｒ３が空調される状態を上空から見た模式図である。
【０１９４】
図２２を参照して、部屋Ｒ３は、壁部ＷＡによって部屋Ｒ１と隔てられている。図２２の例では、部屋Ｒ２と部屋Ｒ３とは、共通の壁部ＷＡによって部屋Ｒ１と隔てられ、かつ、互いに隣接しているが、部屋Ｒ３は壁部ＷＡとは別の壁部（第２仕切部）によって部屋Ｒ１と隔てられていてもよい。また、部屋Ｒ３は部屋Ｒ２に隣接している必要はない。
【０１９５】
壁部ＷＡには、部屋Ｒ１と部屋Ｒ２とを連通する連通孔５４ａ（第１連通孔）、および部屋Ｒ１と部屋Ｒ３とを連通する連通孔５４ｂ（第２連通孔）が形成される。好ましくは、連通孔５４ａ，５４ｂは、部屋Ｒ１の天井部付近となる高所部に配置される。
【０１９６】
部屋Ｒ２には、送風機５０ａ（以下、「第１送風機」とも称する。）が配置されている。好ましくは、第１送風機５０ａは連通孔５４ａの下側に配置されている。連通孔５４ａを通過した空気流は、吸込口（図示せず）を通じて第１送風機５０ａの本体内部に導かれる。送風機５０ａの上面には、導入部材５２ａが取り付けられている。導入部材５２ａの構成は、図５に示した導入部材５２の構成と同じである。
【０１９７】
部屋Ｒ２には、コントローラＣ２および室温センサＳ２がさらに配置されている。コントローラＣ２に入力されるユーザからの各種運転指示、設定温度Ｔ２＊、および室温センサＳ２による検出値Ｔ２は、室内機１０内の制御装置へ入力される。
【０１９８】
部屋Ｒ３には、送風機５０ｂ（以下、「第２送風機」とも称する。）が配置されている。好ましくは、第２送風機５０ｂは連通孔５４ｂの下側に配置されている。連通孔５４ｂを通過した空気流は、吸込口（図示せず）を通じて第２送風機５０ｂの本体内部に導かれる。第２送風機５０ｂの上面には、導入部材５２ｂが取り付けられている。導入部材５２ｂの構成は、図５に示した導入部材５２の構成と同じである。
【０１９９】
部屋Ｒ３には、コントローラＣ３および室温センサＳ３がさらに配置されている。コントローラＣ３は、上述したコントローラＣ２と基本的構成が同様である。室温センサＳ３は、部屋Ｒ３の室温Ｔ３を検出する。室温センサＳ３による検出値はコントローラＣ３へ入力される。
【０２００】
コントローラＣ３と室内機１０との間は、有線または無線により相互に通信可能に構成されている。コントローラＣ３に入力されるユーザからの各種運転指示、設定温度（冷房温度、暖房温度）Ｔ３＊、および室温センサＳ３による検出値Ｔ３は、室内機１０内の制御装置へ入力される。
【０２０１】
実施の形態５に従う空気調和システム１００は、運転モードを、単一の部屋を空調するモード（部屋Ｒ１のみを空調するモード、部屋Ｒ２のみを空調するモード、部屋Ｒ３のみを空調するモード）、２つの部屋を空調するモード（部屋Ｒ１および部屋Ｒ２を空調するモード、部屋Ｒ１および部屋Ｒ３を空調するモード、部屋Ｒ２および部屋Ｒ３を空調するモード）、および３つの部屋を空調するモードの間で切り替えることができる。
【０２０２】
図２２は、部屋Ｒ１および部屋Ｒ３を空調するモードを説明するための図である。図２２を参照して、部屋Ｒ１および部屋Ｒ３を空調するモードでは、制御装置８（図６参照）は、第１送風機５０ａに対して運転停止指令を出力し、第２送風機５０ｂに対して運転開始指令を出力する。第２送風機５０ｂの制御装置は、運転開始指令を受信すると、送風ファン（図示せず）を起動させる。
【０２０３】
空調装置１は、第１空気流Ｂ１を部屋Ｒ１に向けて送風し、第２空気流Ｂ２を連通孔５４ｂに向けて送風する。たとえば、風向制御部３２（図６参照）は、第１空気流Ｂ１の方向Ｄ１が部屋Ｒ１となるように、第１風向調整部材（図４の第１ベーン４ａおよび第１フラップ６ａ）の傾き角度を調整する。風向制御部３２はさらに、第２空気流Ｂ２の方向Ｄ２が連通孔５４ｂとなるように、第２風向調整部材（図４の第２ベーン４ｂおよび第２フラップ６ｂ）の傾き角度を調整する。向きＤ１，Ｄ２はともに風向記憶部３０（図６参照）に予め格納されている。
【０２０４】
風量制御部３４（図６参照）は、温度差ΔＴ１、および室温センサＳ３により検出された室温Ｔ３と設定温度Ｔ３＊との温度差ΔＴ３に基づいて、第１空気流Ｂ１の風量Ｗ１および第２空気流Ｂ２の風量Ｗ２を調整する。たとえば、温度差ΔＴ１とΔＴ３との差の絶対値（＝｜ΔＴ１−ΔＴ３｜）が予め定められた閾値Ｔｔｈ以下である場合、風量制御部３４は、風量Ｗ１と風量Ｗ２とを同量とする。このときの風量は、たとえば、コントローラで設定されてもよく、温度差ΔＴ１に基づいて設定されてもよい。
【０２０５】
上記絶対値が閾値Ｔｔｈよりも大きくなると、風量制御部３４は、温度差ΔＴ１およびΔＴ３の大小関係に応じて、風量Ｗ１，Ｗ２を調整する。具体的には、温度差ΔＴ１が温度差ΔＴ３より大きいときには（ΔＴ１＞ΔＴ３）、風量制御部３４は風量Ｗ１を増加する。一方、温度差ΔＴ３が温度差ΔＴ１より大きいときには（ΔＴ３＞ΔＴ１）、風量制御部３４は風量Ｗ２を増加する。すなわち、風量制御部３４は、部屋Ｒ１の温度差ΔＴ１および部屋Ｒ３の温度差ΔＴ３の大小を比較し、温度差が大きい方の部屋に向けて送出される空気流の風量を増加させるように構成されている。
【０２０６】
風量制御部３４は、風量Ｗ１，Ｗ２の各々が調整された風量に一致するように、送風ファン７ａ，７ｂの回転速度を制御する。風量制御部３４はさらに、温度差ΔＴ１が閾値α以下になると、風量Ｗ１を減少するように第１ファン７ａの回転速度を制御する。風量制御部３４は、温度差ΔＴ３が閾値α以下になると、風量Ｗ２を減少するように第２ファン７ｂの回転速度を制御する。
【０２０７】
このような構成により、室内機１０の吹出口３から吹出される第１空気流Ｂ１を用いて部屋Ｒ１を空調することができ、かつ、第２空気流Ｂ２を用いて部屋Ｒ３を空調することができる。
【０２０８】
図２３は、部屋Ｒ２および部屋Ｒ３を空調するモードを説明するための図である。図２３を参照して、部屋Ｒ２および部屋Ｒ３を空調するモードでは、制御装置８は、第１送風機５０ａおよび第２送風機５０ｂに対して運転開始指令を出力する。第１送風機５０ａおよび第２送風機５０ｂの各々の制御装置は、運転開始指令を受信すると、送風ファンを起動させる。
【０２０９】
空調装置１は、第１空気流Ｂ１を連通孔５４ａに向けて送風する。たとえば、風向制御部３２は、第１空気流Ｂ１の方向Ｄ１が連通孔５４ａとなるように、第１風向調整部材の傾き角度を調整する。風向制御部３２はさらに、第２空気流Ｂ２の方向Ｄ２が連通孔５４ｂとなるように、第２風向調整部材の傾き角度を調整する。向きＤ１，Ｄ２はともに風向記憶部３０（図６参照）に予め格納されている。
【０２１０】
風量制御部３４は、温度差ΔＴ２およびΔＴ３に基づいて、第１空気流Ｂ１の風量Ｗ１および第２空気流Ｂ２の風量Ｗ２を調整する。たとえば、温度差ΔＴ２とΔＴ３との差の絶対値（＝｜ΔＴ２−ΔＴ３｜）が予め定められた閾値Ｔｔｈ以下である場合、風量制御部３４は、風量Ｗ１と風量Ｗ２とを同量とする。このときの風量は、たとえば、コントローラで設定されてもよく、温度差ΔＴ２（またはΔＴ３）に基づいて設定されてもよい。
【０２１１】
上記絶対値が閾値Ｔｔｈよりも大きくなると、風量制御部３４は、温度差ΔＴ２およびΔＴ３の大小関係に応じて、風量Ｗ１，Ｗ２を調整する。具体的には、温度差ΔＴ２が温度差ΔＴ３より大きいときには（ΔＴ２＞ΔＴ３）、風量制御部３４は風量Ｗ１を増加する。一方、温度差ΔＴ３が温度差ΔＴ２より大きいときには（ΔＴ３＞ΔＴ２）、風量制御部３４は風量Ｗ２を増加する。すなわち、風量制御部３４は、部屋Ｒ２の温度差ΔＴ２および部屋Ｒ３の温度差ΔＴ３の大小を比較し、温度差が大きい方の部屋に向けて送出される空気流の風量を増加させるように構成されている。
【０２１２】
風量制御部３４は、風量Ｗ１，Ｗ２の各々が調整された風量に一致するように、送風ファン７ａ，７ｂの回転速度を制御する。風量制御部３４はさらに、温度差ΔＴ２が閾値α以下になると、風量Ｗ１を減少するように第１ファン７ａの回転速度を制御する。風量制御部３４は、温度差ΔＴ３が閾値α以下になると、風量Ｗ２を減少するように第２ファン７ｂの回転速度を制御する。
【０２１３】
（空調装置の風量制御）
次に、部屋Ｒ２および部屋Ｒ３を空調するモード（図２３参照）での空調装置１の制御装置８が実行する風量制御について説明する。
【０２１４】
図２４は、空調装置１から送出される空気流Ｂ１，Ｂ２の風量制御の一例を説明するフローチャートである。図２４に示すフローチャートは、制御装置８において繰返し実行される。
【０２１５】
図２４を参照して、空気調和システム１００の運転モードが、部屋Ｒ３および部屋Ｒ３を空調するモードである場合、制御装置８は、ステップＳ６１により、室温センサＳ２により検出された部屋Ｒ２の室温Ｔ２と設定温度Ｔ２＊との温度差ΔＴ２を算出する。制御装置８は、ステップＳ６２により、室温センサＳ３により検出された部屋Ｒ３の室温Ｔ３と設定温度Ｔ３＊との温度差ΔＴ３を算出する。
【０２１６】
次に、制御装置８は、部屋Ｒ２における温度差ΔＴ２と部屋Ｒ３における温度差ΔＴ３との大小を比較する。具体的には、制御装置８は、ステップＳ６３により、温度差ΔＴ２と温度差ΔＴ３との差の絶対値（＝｜ΔＴ２−ΔＴ３｜）を算出し、算出した差の絶対値と所定の閾値Ｔｔｈとを比較する。上記差の絶対値が所定の閾値Ｔｔｈ以下である場合（Ｓ６３のＮＯ判定時）、制御装置８は、ステップＳ６８に進み、風量Ｗ１と風量Ｗ２とを等しくする。ステップＳ６８では、コントローラで風量が設定されてもよく、温度差ΔＴ２（またはΔＴ３）に基づいて風量が設定されてもよい。
【０２１７】
これに対して、上記差の絶対値が所定の閾値Ｔｔｈよりも大きい場合（Ｓ６３のＹＥＳ判定時）、制御装置８は、ステップＳ６４に進み、温度差ΔＴ２が温度差ΔＴ３より大きいか否かを判定する。温度差ΔＴ２が温度差ΔＴ３より大きい場合（Ｓ６４のＹＥＳ判定時）、制御装置８は、ステップＳ６５により、風量Ｗ１を増加する。一方、温度差ΔＴ３が温度差ΔＴ２より大きい場合（Ｓ６４のＮＯ判定時）、制御装置８は、ステップＳ６９により、風量Ｗ２を増加する。
【０２１８】
制御装置８は、ステップＳ６６により、風量Ｗ１がステップＳ６８またはＳ６５で調整された風量に一致するように、第１ファン７ａを駆動する。制御装置８はまた、風量Ｗ２がステップＳ６８またはＳ６９で調整された風量に一致するように、第２ファン７ｂを駆動する。制御装置８は、さらに、ステップＳ６７により、第１送風機５０ａおよび第２送風機５０ｂに対して運転開始指令を出力することにより、第１送風機５０ａおよび第２送風機５０ｂを駆動する。
【０２１９】
（空調装置の運転制御）
次に、部屋Ｒ１、部屋Ｒ２および部屋Ｒ３を空調するモードでの空調装置１および送風機５０ａ，５０ｂの運転制御について説明する。
【０２２０】
図２２および図２３に示したように、室内機１０の吹出口３から吹出される空気流は２種類であるため、部屋Ｒ１、連通孔５４ａおよび連通孔５４ｂの各々に向けて空気流を同時に送風することは不可能である。
【０２２１】
そのため、空気調和システム１００は、２つの部屋を空調するモードを用いて、部屋Ｒ１、部屋Ｒ２および部屋Ｒ３を空調するモードを実現する。具体的には、図２５に示されるように、空気調和システム１００は、部屋Ｒ１および部屋Ｒ２を空調する運転モード（図９参照）、部屋Ｒ２および部屋Ｒ３を空調するモード（図２４参照）、および部屋Ｒ１および部屋Ｒ３を空調するモード（図２３参照）を、時間の経過に従い切り替えて実行するように構成される。上記３つの運転モードの切り替えを繰り返し実行することにより、実質的に３つの部屋Ｒ１，Ｒ２，Ｒ３を空調することができる。
【０２２２】
実施の形態５に従う空気調和システム１００によれば、室内機１０の吹出口３から吹出される第１空気流Ｂ１を用いて部屋Ｒ２を空調することができ、かつ、第２空気流Ｂ２を用いて部屋Ｒ３を空調することができる。この構成において、第１空気流Ｂ１および第２空気流Ｂ２の各々の風向および風量を互いに独立して調整することで、部屋Ｒ２および部屋Ｒ３を互いに独立して空調することができる。
【０２２３】
すなわち、実施の形態５に従う空気調和システム１００によれば、空調装置１が設置されていない２つの部屋Ｒ２，Ｒ３を、空調装置１が設置されている部屋Ｒ１から独立して空調することができる。これによれば、部屋Ｒ２および部屋Ｒ３の在室者の快適性とともに、部屋Ｒ１の在室者の快適性を確保することができる。また、空調装置１が連通孔５４ａ，５４ｂの各々に向けて空気流を送風することで、部屋Ｒ１の空調を必須とせずに部屋Ｒ２，Ｒ３を空調することができるため、空気調和システム１００による空調効率を向上させることが可能となる。
【０２２４】
今回開示された各実施の形態は、適宜組合せて実施することも予定されている。今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０２２５】
１  空調装置、２，５５  吸込口、３，５６  吹出口、４，５３ａ  風向ベーン、４ａ  第１ベーン、４ｂ  第２ベーン、６ａ  第１フラップ、６ｂ  第２フラップ、７ａ  送風ファン（第１ファン）、７ｂ  送風ファン（第２ファン）、８，５８  制御装置、９  撮像部、９ａ，９ｂ，１１ａ，１１ｂ  モータ、１０  室内機、１２，２２  熱交換器、１４  絞り装置、１６  冷媒配管、２０  室外機、２４，５１  送風ファン、２６  四方弁、２８  圧縮機、３０  風向記憶部、３２  風向制御部、３４  風量制御部、３６  送風制御部、３８  風向学習部、４０  風向入力部、４２  連通孔入力部、４４  風向演算部、４６  画像解析部、４８  運転制御部、５０  送風機、５０ａ  第１送風機、５０ｂ  第２送風機、５２，５２ａ，５２ｂ  導入部材、５３ｂ  フラップ、５４，５４ａ，５４ｂ  連通孔、５７  在室検出部、５９  在室予定入力部、１００  空気調和システム、１０００  冷凍システム、Ｂ１  第１空気流、Ｂ２  第２空気流、Ｄ１，Ｄ２，Ｄ１ａ〜Ｄ１ｄ，Ｄ２ａ〜Ｄ２ｄ  空気流の方向、Ｗ１，Ｗ２  空気流の風量、Ｓ１〜Ｓ３  室温センサ、Ｃ１〜Ｃ３  コントローラ、Ｍ１，Ｍ２  在室者、Ｒ１〜Ｒ３  部屋、ＷＡ  壁部。
【図１】
2018047343.tif 000003
【図２】
2018047343.tif 000004
【図３】
2018047343.tif 000005
【図４】
2018047343.tif 000006
【図５】
2018047343.tif 000007
【図６】
2018047343.tif 000008
【図７】
2018047343.tif 000009
【図８】
2018047343.tif 000010
【図９】
2018047343.tif 000011
【図１０】
2018047343.tif 000012
【図１１】
2018047343.tif 000013
【図１２】
2018047343.tif 000014
【図１３】
2018047343.tif 000015
【図１４】
2018047343.tif 000016
【図１５】
2018047343.tif 000017
【図１６】
2018047343.tif 000018
【図１７】
2018047343.tif 000019
【図１８】
2018047343.tif 000020
【図１９】
2018047343.tif 000021
【図２０】
2018047343.tif 000022
【図２１】
2018047343.tif 000023
【図２２】
2018047343.tif 000024
【図２３】
2018047343.tif 000025
【図２４】
2018047343.tif 000026
【図２５】
2018047343.tif 000027
【国際調査報告】
2018047343.tif 000028
2018047343.tif 000029
2018047343.tif 000030
2018047343.tif 000031